(57)【特許請求の範囲】
【請求項１】
２次元画像により情報を示す２次元データを記録可能とする記録媒体に、該２次元データを所定の間隔で記録する記録装置であって、
上記記録媒体には、上記２次元データが記録される間隔に関する情報である間隔情報が記録されており、
上記間隔情報を上記記録媒体から取得する取得手段と、
上記取得手段によって取得した間隔情報に基づき、上記２次元データを記録するための間隔を設定する記録設定手段と、を備えた記録装置において、
上記記録媒体には、２次元データを記録するために当該記録媒体を移動させる移動速度を示す記録速度情報がさらに記録されており、
上記取得手段は、上記記録媒体から上記記録速度情報をさらに取得しており、
自装置が有する、記録媒体に対する２次元データの記録性能に関する情報である記録性能情報を記憶する記憶装置と、
上記記録速度情報と上記記録性能情報とに基づき、上記記録媒体に対して２次元データを記録可能とする間隔を示す可能間隔情報を算出する算出手段と、を備え、
上記記録設定手段は、上記取得手段によって取得した上記間隔情報と、上記算出手段によって算出した上記可能間隔情報とを比較し、該記録媒体に記録する２次元データの間隔を設定することを特徴とする記録装置。
【請求項２】
上記記録設定手段は、上記間隔情報と上記可能間隔情報とを比較し両者が一致すると判定した場合、該可能間隔情報によって示される、２次元データの記録可能な間隔にて、該２次元データを記録するように設定することを特徴とする請求項１に記載の記録装置。
【請求項３】
上記記録設定手段が、上記間隔情報と上記可能間隔情報とを比較し両者が一致しないと判定した場合、上記２次元データを記録する記録領域において、所定の間隔で該２次元データを記録させることができる新たな領域として新記録領域を設定する新記録領域設定手段を備え、
上記記録設定手段は、上記新記録領域設定手段によって設定された新記録領域において、上記可能間隔情報によって示される記録可能な間隔にて、２次元データを記録するように設定することを特徴とする請求項１または２に記載の記録装置。
【請求項４】
上記記録媒体では、上記２次元データを記録するための記録領域が、特定の間隔で該２次元データを記録させる領域として複数に分割されており、
上記記録設定手段は、上記取得手段によって取得した上記間隔情報と、上記算出手段によって算出された上記可能間隔情報とを比較し、上記記録領域を分割した領域ごとに、２次元データの記録可能な位置を示す記録可能位置情報を算出する位置情報算出手段を備えることを特徴とする請求項１〜３のいずれか１項に記載の記録装置。
【請求項５】
２次元画像により情報を示す２次元データが記録された記録媒体から、該２次元データを所定の間隔で読み出し再生する再生装置であって、
上記記録媒体には、上記２次元データが記録された間隔に関する情報である間隔情報と、２次元データを読み出すために上記記録媒体を移動させる移動速度を示す読み出し速度情報とが記録されており、
上記間隔情報および上記読み出し速度情報を上記記録媒体から取得する取得手段と、
自装置が有する、記録媒体から２次元データを読み出すための読み出し性能に関する情報である読み出し性能情報を記憶する記憶装置と、
上記読み出し速度情報と、上記読み出し性能情報とに基づき、自装置における、上記記録媒体から２次元データを読み出すことができる間隔を示す、読み出し可能間隔情報を算出する読み出し情報算出手段と、
上記取得手段によって取得した上記間隔情報と、上記読み出し情報算出手段によって算出した上記読み出し可能間隔情報とを比較し、該間隔情報と該読み出し可能間隔情報とが一致するか否かを判定する読み出し情報判定手段と、
上記読み出し情報判定手段による判定結果に応じて、上記間隔情報と上記読み出し可能間隔情報との関係から読み出された２次元データの読み出し順を、上記記録媒体に記録した２次元データの記録順に変換する変換手段と、を備えることを特徴とする再生装置。
【請求項６】
請求項１〜４のいずれか１項に記載の記録装置により、上記２次元データが所定の間隔で記録される記録媒体であって、
上記記録装置によって記録される２次元データの間隔に関する情報である間隔情報を記録し管理するための管理領域を有することを特徴とする記録媒体。
【請求項７】
請求項５に記載の再生装置により、記録された上記２次元データが所定の間隔で読み出される記録媒体であって、
記録された２次元データの間隔に関する情報である間隔情報を記録し管理するための管理領域をすることを特徴とする記録媒体。
【請求項８】
上記２次元データを記録する記録領域が、特定の上記間隔で該２次元データを記録させるための領域として複数に分割されており、
上記管理領域は、上記分割された領域ごとに上記間隔情報を記録し管理することを特徴とする請求項６または７に記載の記録媒体。
【請求項９】
２次元画像により情報を示す２次元データを記録可能とする記録媒体に、該２次元データを所定の間隔で記録する記録装置の制御方法であって、
上記記録媒体には、上記２次元データが記録される間隔に関する情報である間隔情報が記録されており、
上記記録媒体から上記間隔情報を取得する第１取得ステップと、
上記間隔情報を取得する第１取得ステップによって取得した該間隔情報に基づき、上記２次元データを記録するための間隔を設定する記録設定ステップと、を含む記録装置の制御方法において、
上記記録媒体には、２次元データを記録するために当該記録媒体を移動させる移動速度を示す記録速度情報がさらに記録されており、
上記記録装置は、当該記録装置が有する、記録媒体に対する２次元データの記録性能に関する情報である記録性能情報を記憶する記憶装置を備えており、
上記記録媒体から上記記録速度情報を取得する第２取得ステップと、
上記記録速度情報と上記記録性能情報とに基づき、上記記録媒体に対して２次元データを記録可能とする間隔を示す可能間隔情報を算出する算出ステップと、をさらに含み、
上記記録設定ステップでは、上記第１取得ステップによって取得した上記間隔情報と、上記算出ステップによって算出した上記可能間隔情報とを比較し、該記録媒体に記録する２次元データの間隔を設定することを特徴とする記録装置の制御方法。
【請求項１０】
２次元画像により情報を示す２次元データが記録された記録媒体から、該２次元データを所定の間隔で読み出し再生する再生装置の制御方法であって、
上記記録媒体には、上記２次元データが記録された間隔に関する情報である間隔情報と、２次元データを読み出すために上記記録媒体を移動させる移動速度を示す読み出し速度情報とが記録されており、
上記再生装置は、当該再生装置が有する、記録媒体から２次元データを読み出すための読み出し性能に関する情報である読み出し性能情報を記憶する記憶装置を備えており、
上記記録媒体から上記間隔情報および上記読み出し速度情報を取得する情報取得ステップと、
上記読み出し速度情報と、上記読み出し性能情報とに基づき、当該再生装置における、上記記録媒体から２次元データを読み出すことができる間隔を示す、読み出し可能間隔情報を算出する読み出し情報算出ステップと、
上情報記取得ステップによって取得した上記間隔情報と、上記読み出し情報算出ステップによって算出した上記読み出し可能間隔情報とを比較し、該間隔情報と該読み出し可能間隔情報とが一致するか否かを判定する読み出し情報判定ステップと、
上記読み出し情報判定ステップによる判定結果に応じて、上記間隔情報と上記読み出し可能間隔情報との関係から読み出された２次元データの読み出し順を、上記記録媒体に記録した２次元データの記録順に変換する変換ステップと、を含むことを特徴とする再生装置の制御方法。
【請求項１１】
請求項１〜４のいずれか１項に記載の記録装置を動作させるための制御プログラムであって、コンピュータを上記各手段として機能させるための記録装置の制御プログラム。
【請求項１２】
請求項５に記載の再生装置を動作させるための制御プログラムであって、コンピュータを上記各手段として機能させるための再生装置の制御プログラム。
【請求項１３】
請求項１１に記載の記録装置の制御プログラムを記録したコンピュータの読取り可能な制御プログラム用記録媒体。
【請求項１４】
請求項１２に記載の再生装置の制御プログラムを記録したコンピュータの読取り可能な制御プログラム用記録媒体。
【発明の詳細な説明】
【技術分野】
【０００１】
本発明は２次元画像により情報を示す２次元データを記録可能とする記録媒体に、該２次元データを所定の間隔で記録する記録装置、再生装置、記録媒体、記録装置の制御方法、再生装置の制御方法、記録装置の制御プログラム、再生装置の制御プログラム、および制御プログラム用記録媒体に関する。
【背景技術】
【０００２】
近年、画像情報や音声情報をはじめとする各種の情報がデジタル化されるにつれて、利用するデジタル情報のデータ量が飛躍的に増大してきた。そこで、大容量のデジタル情報を記録できるようにするため、大容量化、および高密度化に適した記憶装置の開発が進められている。
【０００３】
例えば、高密度化が達成可能な記録媒体の１つとして、ホログラム記録媒体がある。ホログラム記録媒体では、情報を所定の体積に記憶することにより、多重記録が可能であり、このため、記録密度を向上させることができる。なお、このホログラム記録媒体を用いた記録方式および媒体の一方式が、非特許文献１に開示されている。
【０００４】
ここで、図２１を参照して、ホログラム記録媒体に情報を記録したり、該情報を読み出し再生したりする、従来の記録再生装置について説明する。なお、図２１は、従来技術を示すものであり、記録再生装置により情報が記録された場合における記録媒体１００の状態を示す図である。
【０００５】
記録媒体１００は、２次元化したデータ（２次元データ）を記録再生するための担体であり、いわゆるホログラム記録媒体である。この記録媒体１００は、図２１に示すようにディスク形状をしており、記録するトラックは、図中点線で示すように、同心円状もしくはスパイラル状となっている。
【０００６】
ところでホログラム記録媒体への記録再生は、２次元データであるページデータ単位で行われており、図２１においてこのページデータそれぞれを網掛けの円で示している。なお、ページデータとは、ホログラム記録媒体に保存する情報光のパターンであり、白黒のドットで構成された２次元バーコード状の２次元画像により情報を示すデータである。このページデータが、記録再生の最小単位となる。この図２１では、円で示すページデータの一部を重畳させることにより、情報が多重記録されている様子を示している。
【０００７】
図２１に示す記録媒体１００において、ページデータ単位で情報の記録再生を実現する場合、該記録媒体１００に情報を記録するための記録再生装置（不図示）は、ＳＬＭ素子（Spatial Light Modulator：空間光変調器）と、ＣＣＤ撮像素子もしくはＣＭＯＳ撮像素子を備えている。すなわち、記録再生装置は、情報の記録時では、ＳＬＭ素子を用いて２次元のデータを発生させ、記録された情報の再生時では、ＣＣＤ撮像素子もしくはＣＭＯＳ撮像素子を用いて該情報の読取りを行っている。
【０００８】
上述のように、記録媒体自体は、ページデータを多重記録することができる構成である。しかしながら、ページデータの記録は、記録媒体における所定の間隔（記録ページデータ間隔Ｌ）ごとに行なうようになっている。これは、記録に用いるＳＬＭ素子で実現可能な２次元データの更新速度が限られているからである。
【０００９】
なお、記録ページデータ間隔Ｌとは、ＳＬＭ素子が有する２次元データの更新速度に応じて決定される、記録媒体における情報の記録位置の物理的間隔である。
【００１０】
非特許文献１によれば、実験に用いたＳＬＭの更新速度、すなわち、単位時間当たりに記録可能なページ数は、２００ページ／秒であり、その結果、最小更新間隔は５ｍｓであった。そこで、非特許文献１に示す記録再生装置によりページデータを記録する場合、該ページデータを５ｍｓ間隔でトラックの１周分を記録した後、記録タイミングを少しずらして記録することにより、多重記録を実現することができる。
【非特許文献１】堀米  秀嘉，譚  小地，北崎  信幸，金子  和，李  駿  「離陸間近のホログラフィック媒体  ２００６年に２００Ｇバイトを実現」  日経エレクトロニクス  ２００５年１月１７日号  １０５頁,  日経ＢＰ社出版,  ２００５年１月１７日,  ｐｐ．１０５−１１４
【発明の開示】
【発明が解決しようとする課題】
【００１１】
しかしながら、上記従来の構成では、記録媒体において異なる間隔で２次元化したデータ（ページデータ）を記録することができないという問題を生じる。
【００１２】
すなわち、記録するページデータの間隔は、上述したように記録に用いるＳＬＭ素子の性能により決まるため、記録再生装置で用いるＳＬＭの更新速度が速くなれば、該間隔を短くなる。しかしながら、ＳＬＭ素子の性能に応じて、記録するページデータの間隔が記録再生装置毎に異なる場合、一方の記録再生装置によって記録したページデータを、他方の記録再生装置で再生できないといった問題が生じる。そこで、従来の構成では、記録ページデータ間隔を、最も更新速度の遅いＳＬＭで実現可能な時間間隔に規定し、ページデータを、記録媒体に記録するようにしている。
【００１３】
このため、従来の構成では、更新速度が高速なＳＬＭを使用している記録再生装置であっても、そのＳＬＭの更新速度性能を十分に生かしてページデータを記録媒体に記録することができなかった。また、従来の構成では、記録媒体に記録されるページデータの間隔（記録ページデータ間隔）が同一であることが前提となっているため、該記録媒体には、該記録ページデータ間隔に関する情報を格納するための管理情報領域が設けられていなかった。さらには、この管理情報領域に記載すべき情報、およびこの管理情報領域に記載すべき情報の管理方法についても規定されていなかった。
【００１４】
よって、従来の構成では、ＳＬＭの更新速度性能が向上したとしても、同一の記録媒体に対して、異なる記録ページデータ間隔で情報を記録させることが困難となる。
【００１５】
本発明は、上記の問題点に鑑みてなされたものであり、その目的は、２次元画像により情報を示す２次元データを異なる記録間隔で記録媒体に記録できる記録装置、再生装置、記録媒体、記録装置の制御方法、再生装置の制御方法、記録装置の制御プログラム、再生装置の制御プログラム、および制御プログラム用記録媒体を実現することにある。
【課題を解決するための手段】
【００１６】
本発明に係る記録装置は、上記した課題を解決するために、２次元画像により情報を示す２次元データを記録可能とする記録媒体に、該２次元データを所定の間隔で記録する記録装置であって、上記記録媒体には、上記２次元データが記録される間隔に関する情報である間隔情報が記録されており、上記間隔情報を上記記録媒体から取得する取得手段と、上記取得手段によって取得した間隔情報に基づき、上記２次元データを記録するための間隔を設定する記録設定手段と、を備えることを特徴とする。
【００１７】
ここで、２次元画像により情報を示す２次元データを記録可能とする記録媒体とは、例えばホログラム記録媒体である。
【００１８】
ところで記録装置が２次元データを記録媒体に記録する場合、記録に用いる例えばＳＬＭ素子などの２次元変調素子で実現可能な２次元データの更新速度に応じて、記録する２次元データの物理的な間隔が決定される。そのため、異なる性能の２次元変調素子を有する記録装置間では、記録媒体における該２次元データの記録間隔はそれぞれ異なることとなる。
【００１９】
このため、記録装置が有する上記２次元変調素子の性能に応じた間隔で、２次元データを記録できることが好ましいといえる。
【００２０】
上記構成によると、本発明に係る記録装置は、上記取得手段により取得した間隔情報から記録対象となる領域において２次元データが記録される間隔について把握し、記録設定手段により記録媒体に記録する２次元データの間隔を適切に設定することができる。
【００２１】
よって、本発明に係る記録装置は、上記記録媒体に対して、異なる間隔で２次元データを記録することができるといった効果を奏する。
【００２２】
本発明に係る記録装置の制御方法は、上記した課題を解決するために、２次元画像により情報を示す２次元データを記録可能とする記録媒体に、該２次元データを所定の間隔で記録する記録装置の制御方法であって、上記記録媒体には、上記２次元データが記録される間隔に関する情報である間隔情報が記録されており、上記記録媒体から上記間隔情報を取得するステップと、上記間隔情報を取得するステップによって取得した該間隔情報に基づき、上記２次元データを記録するための間隔を設定するステップと、を含むことを特徴とする。
【００２３】
よって、本発明に係る記録装置の制御方法は、上記記録媒体に対して、異なる間隔で２次元データを記録することができるといった効果を奏する。
【００２４】
本発明に係る記録装置は、上記した構成において、上記記録媒体には、２次元データを記録するために当該記録媒体を移動させる移動速度を示す記録速度情報がさらに記録されており、上記取得手段は、上記記録媒体から上記記録速度情報をさらに取得しており、自装置が有する、記録媒体に対する２次元データの記録性能に関する情報である記録性能情報を記憶する記憶装置と、上記記録速度情報と上記記録性能情報とに基づき、上記記録媒体に対して２次元データを記録可能とする間隔を示す可能間隔情報を算出する算出手段と、を備え、上記記録設定手段は、上記取得手段によって取得した上記間隔情報と、上記算出手段によって算出した上記可能間隔情報とを比較し、該記録媒体に記録する２次元データの間隔を設定するように構成されていることが好ましい。
【００２５】
上記構成によると、取得手段がさらに記録速度情報を取得することができるため、２次元データの記録時における記録媒体の移動速度を確認することができる。また、算出手段を備えているため、記録媒体の移動速度を示す記録速度情報と、当該記録装置が有する記録性能情報とから、上記記録媒体に対して２次元データを記録できる間隔を示す可能間隔情報を算出することができる。
【００２６】
また、記録設定手段を備えているため、取得した上記間隔情報と、算出した上記可能間隔情報とを比較し、該記録媒体に記録する２次元データの間隔を適切に設定することができる。
【００２７】
よって、本発明に係る記録装置は、上記記録媒体に対して、異なる間隔で２次元データを記録することができる。
【００２８】
また、本発明に係る記録装置は、上記した構成において、上記記録設定手段は、上記間隔情報と上記可能間隔情報とを比較し両者が一致すると判定した場合、該可能間隔情報によって示される、２次元データの記録可能な間隔にて、該２次元データを記録するように設定されていることが好ましい。
【００２９】
すなわち、上記間隔情報と、可能間隔情報とによって示される２次元データの記録間隔が一致する場合、本発明に係る記録装置では、記録媒体への２次元データの記録間隔に関する能力を活かして、２次元データの記録を行なうように記録設定手段が設定することができる。
【００３０】
したがって、本発明に係る記録装置は、上記記録媒体に対して、異なる間隔で２次元データを記録することができる。
【００３１】
また、本発明に係る記録装置は、上記した構成において、上記記録設定手段が、上記間隔情報と上記可能間隔情報とを比較し両者が一致しないと判定した場合、上記２次元データを記録する記録領域において、所定の間隔で該２次元データを記録させることができる新たな領域として新記録領域を設定する新記録領域設定手段を備え、上記記録設定手段は、上記新記録領域設定手段によって設定された新記録領域において、上記可能間隔情報によって示される記録可能な間隔にて、２次元データを記録するように設定する構成であることが好ましい。
【００３２】
上記構成によると、新記録領域設定手段を備えているため、上記間隔情報と、可能間隔情報とによって示される２次元データの記録間隔が一致しない場合、上記新記録領域を設定し、該新記録領域において上記可能間隔情報によって示される記録可能な間隔にて、２次元データを記録することができる。
【００３３】
このため、本発明に係る記録装置は、上記記録媒体において異なる記録間隔で２次元データが記録されることを容易に可能とする。さらにまた、記録装置は、記録媒体において既に記録されている２次元データの記録間隔に関係なく、記録装置が有する記録性能情報に応じた記録可能な間隔で２次元データを記録することができる。
【００３４】
また、本発明に係る記録装置は、上記した構成において、上記記録媒体では、上記２次元データを記録するための記録領域が、特定の間隔で該２次元データを記録させる領域として複数に分割されており、上記記録設定手段は、上記取得手段によって取得した上記間隔情報と、上記算出手段によって算出された上記可能間隔情報とを比較し、上記記録領域を分割した領域ごとに、２次元データの記録可能な位置を示す記録可能位置情報を算出する位置情報算出手段を備えるように構成されていることが好ましい。
【００３５】
上記構成によると、位置情報算出手段を備えるため、上記記録領域を分割した領域ごとにおける適切な記録位置を得ることができる。
【００３６】
本発明に係る再生装置は、上記した課題を解決するために、２次元画像により情報を示す２次元データが記録された記録媒体から、該２次元データを所定の間隔で読み出し再生する再生装置であって、上記記録媒体には、上記２次元データが記録された間隔に関する情報である間隔情報が記録されており、上記間隔情報を上記記録媒体から取得する取得手段と、上記取得手段によって取得した上記間隔情報に基づき、読み出された２次元データの読み出し順を、上記記録媒体に記録した２次元データの記録順に変換する変換手段と、を備えることを特徴とする。
【００３７】
本発明に係る再生装置は、上記取得手段を備えているため、取得した間隔情報から記録媒体に記録されている２次元データの記録間隔を把握することができる。また、変換手段を備えているため、上記間隔情報を参照して、所定の間隔で読み出した２次元データの順序を、該２次元データの記録順に変換させることができる。したがって、本発明に係る再生装置は、２次元データの読み出し間隔が、２次元データを記録した間隔と異なる場合であっても該２次元データを記録した順に復元して適切に読み出すことができる。
【００３８】
このように、異なる間隔で２次元データが記録された場合であっても適切な順番に２次元データを読み出すことができるため、記録媒体において異なる間隔で２次元データが記録されることを許容することができるという効果を奏する。
【００３９】
本発明に係る再生装置の制御方法は、上記した課題を解決するために、２次元画像により情報を示す２次元データが記録された記録媒体から、該２次元データを所定の間隔で読み出し再生する再生装置の制御方法であって、上記記録媒体には、上記２次元データが記録された間隔に関する情報である間隔情報が記録されており、上記記録媒体から上記間隔情報を取得するステップと、上記間隔情報を取得するステップによって取得した該間隔情報に基づき、読み出された２次元データの読み出し順を、上記記録媒体に記録した２次元データの記録順に変換するステップと、を含むことを特徴とする。
【００４０】
よって、本発明に係る再生装置の制御方法は、異なる間隔で２次元データが記録された場合であっても適切な順番に２次元データを読み出すことができるため、記録媒体において異なる間隔で２次元データが記録されることを許容することができるという効果を奏する。
【００４１】
また、本発明に係る再生装置は、上記した構成において、上記記録媒体には、２次元データを読み出すために上記記録媒体を移動させる移動速度を示す読み出し速度情報がさらに記録されており、上記取得手段は、上記読み出し速度情報を上記記録媒体からさらに取得しており、自装置が有する、記録媒体から２次元データを読み出すための読み出し性能に関する情報である読み出し性能情報を記憶する記憶装置と、上記読み出し速度情報と、上記読み出し性能情報とに基づき、自装置における、上記記録媒体から２次元データを読み出すことができる間隔を示す、読み出し可能間隔情報を算出する読み出し情報算出手段と、上記取得手段によって取得した上記間隔情報と、上記読み出し情報算出手段によって算出した上記読み出し可能間隔情報とを比較し、該間隔情報と該読み出し可能間隔情報とが一致するか否かを判定する読み出し情報判定手段と、上記情報判定手段による判定結果に応じて、上記間隔情報と上記読み出し可能間隔情報との関係から読み出された２次元データの読み出し順を、上記記録媒体に記録した２次元データの記録順に変換する変換手段と、を備えるように構成されていることが好ましい。
【００４２】
上記構成によると、読み出し情報算出手段を備えているため、記録媒体の移動速度を示す読み出し速度情報と、当該記録装置が有する読み出し性能情報とから、上記記録媒体に対する、２次元データの読み出し可能な間隔を示す読み出し可能間隔情報を算出することができる。
【００４３】
また、読み出し情報判定手段および変換手段を備えているため、取得した上記間隔情報と、算出した上記可能間隔情報とを比較し、２次元データが記録媒体に記録されている間隔と、当該再生装置が該２次元データを読み出す間隔とが一致するか否か確認することができる。そして、この確認結果に応じて、変換手段が２次元データの読み出し順を記録した順番とすることができる。
【００４４】
したがって、本発明に係る再生装置は、２次元データの読み出し間隔が、２次元データの記録間隔と異なる場合であっても該２次元データを記録された順に復元して適切に読み出すことができる。
【００４５】
本発明に係る記録媒体は、上記した課題を解決するために、上記した記録装置により上記２次元データが所定の間隔で記録される記録媒体であって、上記記録装置によって記録される２次元データの間隔に関する情報である間隔情報を記録し管理するための管理領域を有することを特徴とする。
【００４６】
上記構成によると、管理領域を有しているため、本発明に係る記録媒体に２次元データを記録する記録装置は、該管理領域に記録された上記間隔情報を参照することにより、２次元データが記録される間隔を把握することができる。
【００４７】
このため、例えば異なる２以上の記録間隔で２次元データが記録されていたとしても、記録装置は、どの記憶領域の２次元データがどのような記録間隔で記録されているか判断することができ、よって、本発明に係る記録媒体は、異なる間隔での２次元データの記録を可能とさせるといった効果を奏する。
【００４８】
本発明にかかる記録媒体は、上記した課題を解決するために、上記した再生装置により、記録された上記２次元データが所定の間隔で読み出される記録媒体であって、記録された２次元データの間隔に関する情報である間隔情報を記録し管理するための管理領域をすることを特徴とする。
【００４９】
ところで、２次元データを読み出す間隔と、該２次元データを記録する間隔が異なる場合、読み出した２次元データの順序はばらばらとなり、該２次元データに基づく再生結果が適切とならない。したがって、２次元データが記録されている間隔と、読み出す間隔とが異なる場合、読み出した２次元データを適切な順番に配置できることが好ましい。
【００５０】
上記構成によると、管理領域を有しているため、本発明に係る記録媒体から２次元データを読み出す再生装置は、該管理領域に記録された上記間隔情報を参照することにより、２次元データが記録される間隔を把握することができる。
【００５１】
このように２次元データが記録されている間隔を把握することができるため、記録された２次元データの間隔と、該２次元データを読み出す間隔とが同じであるか否かを確認し、読み出した２次元データの順番を適切な順番とすることができる。
【００５２】
よって、本発明に係る記録媒体は、読み出す間隔とは異なる間隔により２次元データが記録されている場合であっても、該２次元データを読み出し適切な順序にて再生させることを可能とさせるといった効果を奏する。
【００５３】
また、本発明に係る記録媒体は、上記した構成において、上記２次元データを記録する記録領域が、特定の上記間隔で該２次元データを記録させるための領域として複数に分割されており、上記管理領域は、上記分割された領域ごとに上記間隔情報を記録し管理するように構成されていることが好ましい。
【００５４】
上記構成によると、管理領域が、分割された領域ごとに上記間隔情報を記録し管理するため、上記分割された領域ごとの、２次元データの記録間隔を容易に提供することができる。
【００５５】
なお、上記記録装置および再生装置は、コンピュータによって実現してもよく、この場合には、コンピュータを上記各手段として動作させることにより上記記録装置および再生装置をコンピュータにて実現させる記録装置の制御プログラム、再生装置の制御プログラム、およびそれらを記録したコンピュータ読取り可能な制御プログラム用記録媒体も、本発明の範疇に入る。
【発明の効果】
【００５６】
本発明に係る記録装置は、以上のように、２次元画像により情報を示す２次元データを記録可能とする記録媒体に、該２次元データを所定の間隔で記録する記録装置であって、上記記録媒体には、上記２次元データが記録される間隔に関する情報である間隔情報が記録されており、上記間隔情報を上記記録媒体から取得する取得手段と、上記取得手段によって取得した間隔情報に基づき、上記２次元データを記録するための間隔を設定する記録設定手段と、を備えることを特徴とする。
【００５７】
よって、本発明に係る記録装置は、上記記録媒体に対して、異なる間隔で２次元データを記録することができるといった効果を奏する。
【００５８】
本発明に係る記録装置の制御方法は、上記した課題を解決するために、２次元画像により情報を示す２次元データを記録可能とする記録媒体に、該２次元データを所定の間隔で記録する記録装置の制御方法であって、上記記録媒体には、上記２次元データが記録される間隔に関する情報である間隔情報が記録されており、上記記録媒体から上記間隔情報を取得するステップと、上記間隔情報を取得するステップによって取得した該間隔情報に基づき、上記２次元データを記録するための間隔を設定するステップと、を含むことを特徴とする。
【００５９】
よって、本発明に係る記録装置の制御方法は、上記記録媒体に対して、異なる間隔で２次元データを記録することができるといった効果を奏する。
【００６０】
本発明に係る再生装置は、以上のように、２次元画像により情報を示す２次元データが記録された記録媒体から、該２次元データを所定の間隔で読み出し再生する再生装置であって、上記記録媒体には、上記２次元データが記録された間隔に関する情報である間隔情報が記録されており、上記間隔情報を上記記録媒体から取得する取得手段と、上記取得手段によって取得した上記間隔情報に基づき、読み出された２次元データの読み出し順を、上記記録媒体に記録した２次元データの記録順に変換する変換手段と、を備えることを特徴とする。
【００６１】
よって、本発明に係る再生装置は、異なる間隔で２次元データが記録された場合であっても適切な順番に２次元データを読み出すことができるため、記録媒体において異なる間隔で２次元データが記録されることを許容することができるという効果を奏する。
【００６２】
本発明に係る再生装置の制御方法は、以上のように、２次元画像により情報を示す２次元データが記録された記録媒体から、該２次元データを所定の間隔で読み出し再生する再生装置の制御方法であって、上記記録媒体には、上記２次元データが記録された間隔に関する情報である間隔情報が記録されており、上記記録媒体から上記間隔情報を取得するステップと、上記間隔情報を取得するステップによって取得した該間隔情報に基づき、読み出された２次元データの読み出し順を、上記記録媒体に記録した２次元データの記録順に変換するステップと、を含むことを特徴とする。
【００６３】
よって、本発明に係る再生装置の制御方法は、異なる間隔で２次元データが記録された場合であっても適切な順番に２次元データを読み出すことができるため、記録媒体において異なる間隔で２次元データが記録されることを許容することができるという効果を奏する。
【００６４】
本発明に係る記録媒体は、以上のように、上記した記録装置により上記２次元データが所定の間隔で記録される記録媒体であって、上記記録装置によって記録される２次元データの間隔に関する情報である間隔情報を記録し管理するための管理領域を有することを特徴とする。
【００６５】
よって、本発明に係る記録媒体は、異なる間隔での２次元データの記録を可能とさせるといった効果を奏する。
【００６６】
本発明にかかる記録媒体は、以上のように、上記した再生装置により、記録された上記２次元データが所定の間隔で読み出される記録媒体であって、記録された２次元データの間隔に関する情報である間隔情報を記録し管理するための管理領域をすることを特徴とする。
【００６７】
よって、本発明に係る記録媒体は、読み出す間隔とは異なる間隔により２次元データが記録されている場合であっても、該２次元データを読み出し適切な順序にて再生させることを可能とさせるといった効果を奏する。
【発明を実施するための最良の形態】
【００６８】
本発明の一実施形態について図１ないし図２０に基づいて説明すると以下の通りである。すなわち、本実施の形態に係る記録再生装置２０は、図１に示すように情報を記録媒体１に記録したり、該記録媒体１に記録された情報を読み出し再生したりするものである。なお、図１は、本発明の実施形態を示すものであり、記録再生装置２０の要部構成を示す図である。
【００６９】
上記記録再生装置２０が情報を記録したり読み出したりする上記記録媒体１は、本実施例では、ディスク状のホログラム記録媒体である。なお、このホログラム記録媒体とは、記録層に強い光を当て、該記録層の材料（体積記録素材）を変化させて干渉縞を作り出すことで、情報の記録を行うことができるものである。
【００７０】
本実施の形態に係る記録再生装置２０は、図１に示すようにピックアップ部２、記録回路３、再生回路４、バッファ回路５、インタフェース回路６、アドレス検出回路７、インターバル生成回路８、メモリアドレス生成回路９（変換手段）、クロック生成回路１０、およびコントローラ１１を備えてなる構成である。
【００７１】
上記ピックアップ部２は、記録回路３から受信した情報を記録媒体１に記録したり、該記録媒体１から情報を読み出し、記録回路３または再生回路４等に出力したりするものである。本実施の形態に係る記録媒体１のようなホログラム記録媒体では、情報が２次元のページデータとして記録再生される。
【００７２】
すなわち、情報の記録時には、ピックアップ部２が備える２次元変調素子により、２次元の像が形成され、それが、光学系により干渉縞に変換された後、記録媒体１の記録層に記録される。上記２次元変調素子としては、液晶素子やミラーアレイ素子などのＳＬＭが用いられる。また、記録媒体１に対する情報の記録は、ピックアップ部２が備えるレーザ発光部をパルス発光させることにより実行される。
【００７３】
一方、記録媒体１に記録された情報の再生時（読取り時）には、ピックアップ部２に含まれる、例えばＣＣＤ素子またはＣＭＯＳ素子などの撮像素子により２次元のページデータとして再生信号が得られる。そして、ピックアップ部２は、この得られた再生信号を再生回路４に送信する。
【００７４】
なお、情報の再生も、上記した記録と同様にピックアップ部２に含まれるレーザをパルス発光させることにより行われる。ただし、記録媒体１が再記録されないように、再生時に記録媒体１に照射されるレーザのエネルギーを記録時よりも低く設定する。
【００７５】
また、ピックアップ部２は、上記したページデータ以外に、アドレスの読み出し、またはクロック生成のためのアドレス信号をアドレス検出回路７に出力するものでもある。
【００７６】
上記記録回路３は、記録媒体１に記録する情報とともに、記録のための、レーザのパルス発光のタイミング信号をピックアップ部２に送信するものである。更にまた、記録回路３は、記録媒体１に記録する情報に誤り訂正符号を付加するものでもある。なお、記録回路３は、ピックアップ部２に送信する情報を、インタフェース回路６を通じて、例えば、記録再生装置２０の外部に設置された他の装置（外部装置）等から受信する。
【００７７】
インタフェース回路６は、本実施の形態に係る記録再生装置２０と該記録再生装置２０の外部に設けられた外部装置との間における信号の送受信に関するインタフェースを提供するものである。インタフェース回路６は、上記外部装置から受信した情報を記録回路３に送信したり、バッファ回路５のメモリに格納された、記録媒体１から読み出された情報を外部装置に送信したりする。
【００７８】
再生回路４は、ピックアップ部２により記録媒体１から読み出された情報の復号処理を行い、処理後の情報をバッファ回路５へ送るものである。また、この再生回路４は、ピックアップ部２により記録媒体１から読み出された、記録媒体１に関する情報を含むディスク管理情報３８を、バッファ回路５を介さず、コントローラ１１へ送るものでもある。なお、このディスク管理情報３８についての詳細は後述する。さらにまた、この再生回路４は、再生のための、レーザのパルス発光のタイミング信号をピックアップ部２に送出するものでもある。
【００７９】
バッファ回路５は、再生回路４から受信した情報（ページデータ）を一時保持するものである。バッファ回路５に一旦記憶されたページデータは、インタフェース回路６を通じて、外部装置に送出される。
【００８０】
アドレス検出回路７は、ピックアップ部２から入力されたアドレス信号から、記録媒体１の記憶領域に設定されたクラスタ毎にアドレスを検出して、アドレスの復号処理を行うものである。なお、上記クラスタとは、記録媒体１の記憶領域において、アドレスが付与された記録ブロックのことである。アドレス検出回路７は、復号処理して得られたアドレスをコントローラ１１に送信する。一方、コントローラ１１では、受信したこのアドレスを利用して、記憶されている情報へのアクセス制御を初めとする各種制御を行うことができる。
【００８１】
また、アドレス検出回路７は、ピックアップ部２から入力されたアドレス信号から、クロック生成のためのタイミング信号を生成するものでもある。アドレス検出回路７は、生成したタイミング信号をインターバル生成回路８およびクロック生成回路１０に出力する。
【００８２】
クロック生成回路１０は、各種の回路動作に必要な基準信号であるクロック信号を生成するものである。クロック生成回路１０は、生成したクロック信号をインターバル生成回路８およびメモリアドレス生成回路９に出力する。
【００８３】
インターバル生成回路８は、アドレス検出回路７から入力されたタイミング信号と、クロック生成回路１０から入力されたクロック信号とに基づき、記録媒体１への情報の記録再生のタイミング信号である、記録レーザパルス信号および再生レーザパルス信号それぞれを生成するものである。インターバル生成回路部８は、これらの信号のうち記録レーザパルス信号を、記録回路３に、そして、再生レーザパルス信号を、再生回路４に送信する。
【００８４】
メモリアドレス生成回路９は、クロック生成回路１０から入力されたクロック信号と、コントローラ１１からの制御信号とに基づき、バッファ回路５が備えるメモリにおいて用いるメモリアドレスを生成するものである。
【００８５】
コントローラ１１は、本実施の形態に係る記録再生装置２０が備える各部の各種制御を行うものである、コントローラ１１の詳細な構成については後述する。
【００８６】
（記録媒体の構成）
次に、上記図２に示した記録媒体１の物理的および論理的構成について説明する。図２は、本実施の形態に係る記録媒体１の外観形状の一例を示す図である。
【００８７】
まず、図３を参照して記録媒体１の断面構造について説明する。なお、図３は、本実施の形態に係る記録媒体１の断面構造の一例を示す図であり、図２に示す記録媒体１におけるＸ−Ｘ´断面を示す。
【００８８】
記録媒体１は、図３に示すように、記録再生層３０とサーボ層３１との２層から構成されている。サーボ層３１にはグルーブまたはピットでトラックが形成されており、アドレス情報は、これらグルーブまたはピットとして記録されている。記録再生層３０は、ページデータを記録する層であり、フォトポリマー材料などにより構成される。
【００８９】
続いて、図４を参照して記録媒体１の平面構造について説明する。なお、図４は、記録媒体１の平面図であり、記録媒体１を上方から見た場合の図である。この図では、記録媒体１におけるトラックが蛇行したグルーブ、すなわちウォブルとして形成されている。また、この図４において円で示されている部分が１つのページデータに相当しており、図４に示すようにページデータを重ねて記録することにより、多重記録を実現することができる。このように本実施の形態に係る記録媒体１では、ページデータを多重記録することにより、記録密度を向上させている。
【００９０】
次に、記録媒体１に記録されるアドレス情報とページデータとの関係を、図５（ａ）および図５（ｂ）を参照して説明する
図５は、上記サーボ層３１に記録されているアドレス情報と、上記記録再生層３０に記録されるページデータとの関係を示す図であり、同図（ａ）はアドレス情報の構成を示し、同図（ｂ）は、記録再生層３０に記録されるページデータの構成を示している。
【００９１】
なお、本実施例では、トラックはトラック番号１からＮまでのＮ本あるものとし、それぞれのトラックは、クラスタ番号１から１２０までの１２０個のクラスタに分割されるものとする。なお、このクラスタが、アドレスが付与される最小単位となる。
【００９２】
この各クラスタには、トラック番号およびクラスタ番号から生成されるアドレス情報、ならびに補助情報が記録されている。ここで、補助情報とは、記録再生装置２０の動作を制御するために用いられる付加的な情報である。
【００９３】
また、図５（ｂ）に示すように、各トラックはページ番号１から１２０００までの１２０００個のページデータから成っている。よって、本実施例では、上述したように１トラックにつき１２０個のクラスタに分割されているため、１クラスタ当りには１００ページのページデータが記録されることになる。なお、この１ページは、記録媒体１における情報（ページデータ）の最小の記録単位であり、１ページの記憶容量を本実施例では１ＭＢとする。
【００９４】
なお、記録媒体１に対するページデータの記録再生は、１ページ単位で行われるが、従来の記録再生装置２０との整合性を取るために、１ページを、例えば２０４８ビットのセクタに細分化し、セクタ単位で外部へ入出力可能となるように構成してもよい。ただし、このセクタはあくまでも、仮想的な単位であり、１ページ単位で記録再生されるデータの一部のみを選択して入出力することにより、セクタ単位でのデータ入出力を可能とする。
【００９５】
ところで、記録媒体１では、記録再生層３０において各トラックに割り当てられたページ番号そのものに関する情報は、上記アドレス情報として得ることができない。そこで、記録再生装置２０が、記録媒体１における特定のページにアクセスするためには、まず、このページのページ番号に基づきクラスタ番号を求める。例えば、１２５ページにアクセスする場合、１２５ページは、２番目のクラスタの２５番目のページに相当するため、クラスタ番号２のクラスタにアクセスする。
【００９６】
なお、上述したように各クラスタ番号にはアドレス情報が割り当てられているため、このクラスタ番号２のアドレス情報は取得可能である。したがって、１２５ページにアクセスする場合、該ページを含むクラスタ（クラスタ２）に対して上記アドレス情報を参照することによりアクセスすることができる。
【００９７】
次に、クラスタ番号２のクラスタの先頭から２５番目のページ位置を検出し、そのページデータを再生する。このページ位置を特定する信号は、上記した再生レーザパルス信号であり、インターバル生成回路８において生成される。すなわち、本実施の形態に係る記録再生装置２０では、再生時において、読み出したいページ位置で、再生レーザパルス信号が出力され、所定のページデータが再生される。
【００９８】
このように、本実施の形態に係る記録媒体１のような高密度の記録媒体では、比較的容量の小さな単位でアドレスを付与することが困難となる。そこで、本実施の形態に係る記録再生装置２０では、上記のように、各クラスタの実アドレス中を細分化し、それぞれ細分化された部分には、ハードウェア的に生成するタイミング信号（再生レーザパルス信号）を基にアクセスするように構成している。このため、記録再生装置２０は、アドレス情報の記録に特に工夫を加えることなく、容易な構成で、細分化された領域にアクセスが可能となる。
【００９９】
なお、本実施例では、トラック番号とページ番号との組合せを物理アドレスと呼ぶ。例えば、この物理アドレスは、２９０トラックの１３９９ページの場合、前半５桁をトラック番号、後半５桁をページ番号として「００２９０  ０１３９９  」と表すことができる。
【０１００】
次に、図６を参照して記録媒体１における各種情報の配置について説明する。図６は、本実施の形態に係る記録媒体１における各種情報の配置の一例を示す図である。なお、図６において、上層側、すなわちディスク管理情報領域（管理領域）３２ａが配されている側が記録媒体１の内周であり、下層側、すなわちディスク管理情報領域（管理領域）３２ｂが配されている側が外周である。
【０１０１】
したがって、記録媒体１では、内周側から、ディスク管理情報領域３２ａ、交代領域３３ａ、ユーザデータ領域（記録領域）３４、交代領域３３ｂ、ディスク管理情報領域３２ｂの順に各領域が配置されることとなる。
【０１０２】
上記ディスク管理情報領域（管理領域）３２ａ・３２ｂは、ディスク管理情報３８、すなわち、ディスク情報３５、ゾーン情報３６、およびディフェクト情報３７を記録する領域である。例えば、ディスク管理情報領域３２ａには、ディスク情報３５ａ、ゾーン情報３６ａ、およびディフェクト情報３７ａが記録され、ディスク管理情報領域３２ｂには、ディスク情報３５ｂ、ゾーン情報３６ｂ、およびディフェクト情報３７ｂが記録される。
【０１０３】
また、上記ディスク管理情報領域３２ａ・３２ｂ、交代領域３３ａ・３３ｂ、ディスク情報３５ａ、ゾーン情報３６ａ、およびディフェクト情報３７ａそれぞれは、特に区別して説明する必要がない場合、ディスク管理情報領域３２、交代領域３３、ディスク情報３５、ゾーン情報３６、およびディフェクト情報３７と称する。
【０１０４】
上記ディスク情報３５とは、例えば、記録媒体の１分間における回転数（ｒｐｍ）を示す回転数情報（記録速度情報・読み出し速度情報）６０、記録媒体の種類等を規定するバージョン情報など、記録媒体１を形成するディスクの属性に関する情報である。
【０１０５】
上記ゾーン情報３６とは、複数のトラックを１つにまとめたゾーンに関する情報である。本実施の形態に係る記録媒体１では、このゾーン毎に記録ページデータ間隔（可能間隔情報）Ｗ＿Ｉｎｔを設定できるように構成されている。このため、このゾーンとは、記録ページデータ間隔Ｗ＿Ｉｎｔを設定できる最小単位であると言える。なお、このゾーン情報３６の詳細な説明は後述する。
【０１０６】
また、上記記録ベージデータ間隔とは、記録再生装置２０によりページデータを記録媒体１に記録する場合における、該ページデータの記録時間間隔である。
【０１０７】
ディフェクト（欠陥）情報３７は、交代領域３３ａおよび交代領域３３ｂに記録された各ディフェクトページデータ（欠陥ページデータ）の交代元アドレスおよび交代先アドレスなどの情報である。すなわち、交代領域３３ａ・３３ｂには、一旦、ユーザデータ領域３４に記録した後、誤り訂正不能と判定されたディフェクトページのデータが記録されている。
【０１０８】
なお、この交代領域３３ａ・３３ｂとして必要となる記憶領域の大きさは用途によって異なるため、この交代領域３３ａ・３３ｂそれぞれの大きさは変更可能となっていることが好ましい。本実施の形態に係る記録媒体１では、交代領域３３ａおよび交代領域３３ｂの大きさは、クラスタ単位でなく、トラック単位で変更可能となっている。
【０１０９】
上記ユーザデータ領域３４は、ページデータが記録される領域である。ところで、本実施の形態に係る記録媒体１では、ユーザデータ領域３４の先頭クラスタ番号は、常に１から始まるように設定されている。しかしながら、交代領域３３ａ・３３ｂの大きさは、上記したように一定ではないため、ユーザデータ領域３４の開始物理アドレスも一定とならない。このように、交代領域３３ａの大きさに応じて、ユーザデータ領域３４にアクセスするためのアドレスが変更してしまうことは不都合である。
【０１１０】
そこで、本実施の形態に係る記録再生装置２０は、ユーザデータ領域において、記録されるページデータの、記録開始位置を示す開始アドレスのトラック番号が常に１となるようにアドレスの変換を行なうように構成されている。なお、このように変換され、記録されたページデータの記録順に対応するアドレスを本実施例では論理アドレスと称する。
【０１１１】
具体的には、物理アドレスから論理アドレスへの変換は、次の演算によって行われる。すなわち、ユーザデータ領域３４の開始物理アドレスのトラック番号をＳ、変換したい物理アドレスのトラック番号をＡとすると、Ａ−Ｓ＋１という演算で実現できる。なお、各クラスタでは、前述のように、ユーザデータ領域３４の先頭クラスタ番号が、常に１から始まるように設定されているため、先頭ページアドレスは常に１となる。
【０１１２】
このように、上記論理アドレスを指定することにより、記録媒体１に記録された情報にアクセスする構成とすることで、記録再生装置２０は、常にトラック番号１から始まるアドレスで上記情報のアクセスが可能となる。したがって、本実施の形態に係る記録再生装置２０は、記録媒体１に記録された情報の入出力処理を容易とすることができる。
【０１１３】
（ゾーン情報）
次に、上記したゾーン情報３６について、図７〜図９を参照して更に詳しく説明する。なお、図７は、ゾーン情報３６のデータ構造の一例を示す図であり、図８は、ゾーン情報３６に含まれるゾーン情報ヘッダＺＩ＿Ｈｅａｄｅｒのデータ構造の一例を示す図である。また、図９は、ゾーン情報エントリのデータ構造の一例を示す図である。
【０１１４】
ゾーン情報３６は、図７に示すように、大きく３つの部分に分かれており、ゾーン情報ヘッダＺＩ＿Ｈｅａｄｅｒと、ゾーン情報エントリリストＺＩ＿Ｌｉｓｔと、ゾーン情報３６の終わりを示すゾーン情報終端マークＺＩ＿Ｔｅｒｍとから構成される。
【０１１５】
以下、３つの部分について詳しく説明する。まず、ゾーン情報ヘッダＺＩ＿Ｈｅａｄｅｒは、図８に示すように、ゾーン情報識別子ＺＩ＿ＩＤおよび登録ゾーン数Ｎ＿Ｚｏｎｅから成っている（ＺＩ＿Ｈｅａｄｅｒ＝ＺＩ＿ＩＤ＋Ｎ＿Ｚｏｎｅ）。
【０１１６】
ゾーン情報識別子ＺＩ＿ＩＤは、ゾーン情報３６の先頭を示すための識別子であり、例えば“ＺＩ”が記録される。
【０１１７】
登録ゾーン数Ｎ＿Ｚｏｎｅは、登録されているゾーンの数を示しており、初期値は１で、登録されるゾーンが１つ増える毎に増加していく。
【０１１８】
次に、ゾーン情報エントリのデータ構造について図９を参照して説明する。このゾーン情報エントリとは、各ゾーンに関する情報であり、複数のゾーンが登録されている時は、複数のゾーン情報エントリが存在することとなり、ゾーン情報３６において連続したリスト（ゾーン情報エントリリストＺＩ＿Ｌｉｓｔ）として記録される。
【０１１９】
各ゾーン情報エントリには、ゾーンに関する情報として、ゾーンの開始物理アドレスであるスタートアドレスＳＴ＿ＡＤＲと、既に記録済みであるページデータの最終物理アドレスである最終記録位置ＬＲＡと、ページデータの記録ページデータ間隔を示す記録インターバル（間隔情報）Ｉｎｔｅｒｖａｌとが記録されている。
【０１２０】
また、各ゾーンは、トラック単位で指定されており、上記スタートアドレスＳＴ＿ＡＤＲのページ番号は常に１となるように設定されている。そして、複数のゾーン情報エントリが存在する場合、記録媒体１において、ゾーン情報エントリそれぞれは、常にスタートアドレスＳＴ＿ＡＤＲの昇順に整列して記録されるように設定されている。
【０１２１】
このように、スタートアドレスＳＴ＿ＡＤＲの昇順に記録されるため、情報の記録または再生時において、記録または再生する情報の物理アドレスが属するゾーンのゾーン情報エントリを迅速に検索できる。すなわち、記録または再生する対象となる情報の物理アドレスと、各ゾーン情報エントリのスタートアドレスＳＴ＿ＡＤＲとを順番に、もしくは２分法等を用いて比較することにより、記録または再生する情報の物理アドレスが属するゾーンのゾーン情報エントリを迅速に検索できる。
【０１２２】
なお、本実施の形態に係る記録再生装置２０では、昇順に整列されたゾーン情報エントリについてスタートアドレスＳＴ＿ＡＤＲの小さい順に、ゾーン番号１からＮ＿Ｚｏｎｅの値を割り当てている。ただし、このゾーン番号は、仮想的な値であり、記録媒体１には情報として記録されず、登録ゾーン数（Ｎ＿Ｚｏｎｅ）のみがゾーン情報ヘッダに記録される。
【０１２３】
また、各ゾーン情報エントリにおいてスタートアドレスＳＴ＿ＡＤＲのみを記録し、各ゾーンの最終アドレスは記録しないように構成されている。これは、各ゾーンの最終アドレスは、次のゾーンのスタートアドレスＳＴ＿ＡＤＲの１ページ前までであるため、各ゾーンのスタートアドレスＳＴ＿ＡＤＲから容易に計算できるからである。
【０１２４】
なお、続くゾーン情報エントリが無く、ゾーン情報エントリが最終となる場合、該ゾーン情報エントリの最終アドレスは下記のようにして容易に求めることができる。すなわち、最終のゾーン情報エントリの最終アドレスは、ユーザデータ領域の最終アドレス（最終記録位置）と等しくなるため、ユーザデータ領域の最終アドレスを参照することにより容易に計算できる。
【０１２５】
なお、計算処理を統一するために、ユーザデータ領域の最終アドレス＋１をスタートアドレスとするダミーのゾーン情報エントリをゾーン情報エントリリストの最終エントリとして常に設ける構成としても良い。
【０１２６】
ゾーン情報終端マークは、ゾーン情報３６の終わりを示すマークであり、特定のビットパターンを記録する。例えばＦＦＦＦｈなど、通常のアドレスとしては、出現しないパターンとすれば良い。
【０１２７】
（記録処理）
次に、本実施の形態に係る記録再生装置２０による、記録媒体１への情報（ページデータ）の記録処理について説明する。まず、図１０を参照して記録処理に係るコントローラ１１の構成を説明する。なお、図１０は、本発明の実施の形態を示す図であり、記録処理に係るコントローラ１１の要部構成を示すブロック図である。
【０１２８】
記録処理に係るコントローラ１１は、機能ブロックとして、情報取得部（取得手段）
５１、記録ページデータ間隔算出部（算出手段）５２、比較部５３、ゾーン追加部（新記録領域設定手段）５４、ＮＷＡ算出部（位置情報算出手段）５５、および記録パラメータ設定部５６を備える。なお、比較部５３と記録パラメータ設定部５６とによって記録設定手段を実現する。
【０１２９】
また、コントローラ１１は、ＲＡＭなどの半導体記憶装置としてコントローラ記憶装置５７を備えており、コントローラ記憶装置５７には、記録再生装置２０において、ページデータを記録および読み出し可能な時間間隔に関する情報である時間間隔情報（記録性能情報・読み出し性能情報）６１と、情報取得部５１によって取得された回転情報を含むディスク情報３５およびゾーン情報３６とが記憶される。
【０１３０】
情報取得部５１は、記録媒体１から読み出した、ディスク情報３５およびゾーン情報３６を、再生回路４を通じて取得するものである。情報取得部５１は、これらディスク情報３５およびゾーン情報３６を取得するとコントローラ記憶装置５７に記憶させる。
【０１３１】
記録ページデータ間隔算出部５２は、記録ページデータ間隔Ｗ＿Ｉｎｔを求めるものである。なお、記録ページデータ間隔Ｗ＿Ｉｎｔとは、本実施の形態に係る記録再生装置２０において実現可能な記録ページ間隔である。
【０１３２】
比較部５３は、記録ページデータ間隔算出部５２からの指示に応じて、記録インターバルＩｎｔｅｒｖａｌと記録ページデータ間隔Ｗ＿Ｉｎｔとが等しいか否かを調べるものである。
【０１３３】
記録インターバルＩｎｔｅｒｖａｌと記録ページデータ間隔Ｗ＿Ｉｎｔとが等しいと判定した場合、比較部５３は、記録パラメータ設定部５６に、インターバル生成回路８に対して、記録ページデータ間隔Ｗ＿Ｉｎｔおよび記録するページ数を設定するように指示する。
【０１３４】
一方、記録インターバルＩｎｔｅｒｖａｌと記録ページデータ間隔Ｗ＿Ｉｎｔとが等しくないと判定した場合、比較部５３はページデータの記録先として指定されているゾーンにおいて新たなゾーンを追加するように、ゾーン追加部５４に指示する。
【０１３５】
ゾーン追加部５４は、比較部５３からの指示に応じて、ページデータの記録先として指定されているゾーンにおいて新たなゾーンを追加するものである。なお、上記ゾーン追加部５４は、新たなゾーンの追加に伴い、変更したゾーン情報３６を、コントローラ記憶装置５７に記憶したゾーン情報３６を変更後のゾーン情報３６に更新する。
【０１３６】
ＮＷＡ算出部５５は、本実施の形態に係る記録媒体１において記録可能な位置を示す情報であるＮＷＡ(Next Writable address)情報（記録可能位置情報）を算出するものである。ＮＷＡ算出部５５は、算出結果を、ページデータの記録指示を行う外部装置などに通知するため、バッファ回路５に出力する。なお、ＮＷＡ算出部５５によるＮＷＡ算出方法については後述する。
【０１３７】
記録パラメータ設定部５６は、ページデータを記録媒体１に記録する前に、比較部５３からの指示に応じて、インターバル生成回路８に対して記録ページデータ間隔Ｗ＿Ｉｎｔおよび記録するページ数を設定するものである。
【０１３８】
以下において、図１１を参照して本実施の形態に係る記録再生装置２０による、記録媒体１へのページデータの記録処理に関する処理フローについて説明する。なお、この図１１は、本実施の形態に係る記録再生装置２０による記録処理の一例を示すフローチャートである。
【０１３９】
まず、外部装置等から、情報の記録指示が入力されると、記録再生装置２０では、ピックアップ部２が記録媒体１のディスク管理情報領域３２に格納された、回転数情報６０を含むディスク情報３５を読み出す。そして、再生回路４が、ピックアップ部２により読み出されたディスク情報３５を取得する（ステップＳ１１、これ以降Ｓ１１のように称する）。
【０１４０】
なお、本実施の形態に係る記録再生装置２０では、上記回転数情報６０を含むディスク情報３５の読取り動作を、記録媒体１を使い始める起動時に一回だけ実行するように設定している。そして、記録再生装置２０では、再生回路４がこの読取った情報をコントローラ１１に送信すると、該コントローラ１１における情報取得部５１がディスク情報３５を取得し、コントローラ記憶装置５７に記憶する。
【０１４１】
このように、回転数情報６０が取得されると、該回転数情報６０に基づきコントローラ１１では、記録ページデータ間隔算出部５２が、記録ページデータ間隔Ｗ＿Ｉｎｔを求める（Ｓ１２）。
【０１４２】
なお、記録再生装置２０は、１トラック全体について記録ページデータ間隔Ｗ＿Ｉｎｔでページデータそれぞれを記録している。このため、この記録ページデータ間隔Ｗ＿Ｉｎｔは、１トラック分の全ページ数で割り切れる数となる。上記記録媒体１では、図５（ｂ）に示すように各トラックはページ番号１から１２０００までの１２０００個のページデータから成っている。よって、記録ページデータ間隔Ｗ＿Ｉｎｔは、１トラック分の全ページ数１２０００を割り切れる数、すなわち、１トラック分の全ページ数１２０００の約数となる。なお、この１２０００の約数としては、例えば、８０、９６、１００、１２０などが挙げられる。
【０１４３】
ここで、記録ページデータ間隔Ｗ＿Ｉｎｔを求めるには、まず、各記録再生装置２０において、実現可能な最小の記録ページデータ間隔Ｗ＿Ｉｎｔ＿ｍｉｎを求める。例えば、上記回転数情報６０が１００ｒｐｍ、本実施例における記録再生装置２０で記録可能な時間間隔である時間間隔情報６１が５ｍｓであるとすると、下記数式（１）に示すようになり、最小の記録ページデータ間隔Ｗ＿Ｉｎｔ＿ｍｉｎは１００となる。なお、この時間間隔情報６１とは、本実施の形態に係る記録再生装置２０が有するＳＬＭの更新速度であり、この時間間隔の情報については、予め、コントローラ記憶装置５７に記憶されている。
【０１４４】
W_INT_min＝１２０００／（６０／１００rpm×１／５ms）＝１００・・・（１）
上記したように、記録ページデータ間隔Ｗ＿Ｉｎｔは、１２０００の約数となる必要があるが、ここでは計算結果として１２０００の約数である最小の記録ページデータ間隔Ｗ＿Ｉｎｔ＿ｍｉｎ＝１００が得られた。このため、この計算結果である１００を記録ページデータ間隔Ｗ＿Ｉｎｔとして用いることができる。
【０１４５】
最小の記録ページデータ間隔Ｗ＿Ｉｎｔ＿ｍｉｎが、１２０００の約数とならない場合は、最小の記録ページデータ間隔Ｗ＿Ｉｎｔ＿ｍｉｎ以上でかつ、該最小の記録ページデータ間隔Ｗ＿Ｉｎｔ＿ｍｉｎに最も近い１２０００の約数をＷ＿Ｉｎｔとして用いれば良い。
【０１４６】
次に、本実施の形態に係る記録再生装置２０では、情報取得部５１が、記録先として指定されている論理アドレスから物理アドレスを求める。そして、再生回路４に指示してその物理アドレスが存在するゾーンのゾーン情報３６からゾーン情報エントリを検索させる。再生回路４は、ゾーン情報エントリを検索すると、ゾーン情報エントリに記録されている、記録インターバルＩｎｔｅｒｖａｌを取得する（Ｓ１３）。
【０１４７】
なお、本実施の形態に係る記録再生装置２０では、上記したディスク情報３５の読取り時に、この記録インターバルＩｎｔｅｒｖａｌを含むゾーン情報３６も、ピックアップ部２を制御して再生回路４が読取るように構成されている。そして、コントローラ１１では、情報取得部５１が、この受信したゾーン情報３６もディスク情報３５と同様にコントローラ記憶装置５７に記憶させる。
【０１４８】
コントローラ１１では、このように記録インターバルＩｎｔｅｒｖａｌとともに、記録ページデータ間隔算出部５２による算出結果を得ると、記録ページデータ間隔算出部５２が、比較部５３に対して、該記録インターバルＩｎｔｅｒｖａｌと該記録ページデータ間隔Ｗ＿Ｉｎｔとの比較を指示する。
【０１４９】
この記録ページデータ間隔算出部５２からの指示に応じて、比較部５３は、記録インターバルＩｎｔｅｒｖａｌと記録ページデータ間隔Ｗ＿Ｉｎｔとが等しいか否かを調べる（Ｓ１４）。
【０１５０】
ここで、記録ページデータ間隔Ｗ＿Ｉｎｔ＝記録インターバルＩｎｔｅｒｖａｌの場合（Ｓ１４において「ＹＥＳ」の場合）、記録対象となっているゾーンに対して記録ページデータ間隔Ｗ＿Ｉｎｔで各ページデータを記録することができる。一方、記録ページデータ間隔Ｗ＿Ｉｎｔ＝記録インターバルＩｎｔｅｒｖａｌでない場合（Ｓ１４において「ＮＯ」の場合）、そのゾーンには、記録ページデータ間隔Ｗ＿Ｉｎｔでは記録できないこととなる。
【０１５１】
このように、本実施例では、記録媒体１において管理情報として記録インターバルＩｎｔｅｒｖａｌを記録しているため、各記録再生装置２０において実現可能な記録ページデータ間隔で記録可能か否かについて容易に判別できる。また、その結果として、誤って、異なる記録ページデータ間隔で記録してしまうといった問題を防ぐことができる。
【０１５２】
ここで、ステップＳ１４において「ＮＯ」の場合、比較部５３は、ゾーン追加部５４に対して、新たなゾーンの追加を指示する。すなわち、記録対象となるゾーンにおける、ページデータの未記録領域を別のゾーンとして設定する。そして、この設定したゾーンにおいて記録再生装置２０が実現可能なページ間隔でページデータを記録させるのである。
【０１５３】
ゾーン追加部５４は、この比較部５３からの指示に応じて、ページデータをＷ＿Ｉｎｔの間隔で記録するために、記録先として指定されている物理アドレスを含むゾーンにおいて新たなゾーンを追加する（Ｓ１５）。また、新たなゾーンの追加に伴い上記ゾーン追加部５４は、コントローラ記憶装置５７に記憶しているゾーン情報３６を、追加したゾーンを反映したゾーン情報３６に変更する。
【０１５４】
ここで、ゾーン追加部５４によるゾーンの追加処理の詳細を説明する。
【０１５５】
まず前提として、所望する、ページデータの記録先が図１２（ａ）に示すゾーン番号ｉに含まれており、該ゾーン番号ｉの既記録領域の直後の未記録領域から記録するものとする。
【０１５６】
この場合、図１２（ｂ）に示すように、記録開始位置以降の部分をゾーン番号ｉ＋１として新たにゾーンを追加し、ゾーン番号ｉのゾーン範囲を、既記録領域のみとする。なお、この図１２は、本実施の形態に係る記録媒体１のゾーンｉにおける記録領域の状態の一例を示す図であり、同図（ａ）は、ゾーンの追加処理が行われる前のゾーンｉの状態の一例を示し、同図（ｂ）は、ゾーンの追加処理後におけるゾーンｉの状態の一例を示す。
【０１５７】
このようにゾーン番号を新たに割り当てゾーンを追加した場合、ゾーン情報エントリリストも書き換える必要がある。そこで、上記したステップＳ１５におけるゾーン情報エントリの追加処理について図１３を参照して説明する。
【０１５８】
図１３は、ゾーン追加前のゾーン情報エントリリストと、ゾーン追加後のゾーン情報エントリリストとの対応関係の一例を示す図である。すなわち、図１３に示す、ゾーン追加前のゾーン情報エントリリストでは、ゾーン番号ｉのエントリが記録されている。ここでステップＳ１５によってゾーンが追加されると、ゾーン番号ｉのゾーン情報エントリの直後にゾーン番号ｉ＋１のゾーン情報エントリが追加される。それ以外のゾーン情報エントリについては、何も変更されない。
【０１５９】
ゾーン番号ｉ＋１のゾーン情報エントリとしては、スタートアドレスＳＴ＿ＡＤＲ（ｉ＋１）には、記録開始位置のアドレスが記録される。また、最終記録位置ＬＲＡには、記録される情報の最終アドレスが記録される。また、記録インターバルＩｎｔｅｒｖａｌには、ステップＳ１２で算出した記録ページデータ間隔Ｗ＿Ｉｎｔが記録される。
【０１６０】
ところで上記したように、ゾーン情報エントリに記録されるスタートアドレスＳＴ＿ＡＤＲのページ番号は常に１でなければならない。よって、例えば外部装置からの指示に応じてページデータを記録する場合、この記録開始位置のアドレスもページ番号が１でなければならない。
【０１６１】
そこで、１以外のページ番号から記録開始するような指示が、外部装置から与えられないようするため、記録指示を受け付ける前に、予め記録開始可能な位置を、ＮＷＡ情報として、この外部の装置に対して提供できる構成とすることが好ましい。このように、記録開始の指示を受け付ける前にＮＷＡを提供する構成とすることにより、外部装置は、常に正しい記録開始位置を認識できる。
【０１６２】
ここで、具体的なＮＷＡの計算方法について説明する。なお、このＮＷＡの計算は、コントローラ１１におけるＮＷＡ算出部５５によって実行される。
【０１６３】
まず、コントローラ１１においてＮＷＡ算出部５５が、ＮＷＡを、ゾーン毎に計算する。ここで、対象となるゾーンの最終記録位置ＬＲＡのアドレスを（トラック番号Ａ，ページ番号Ｂ）と表記するものとする。なお、ここで、アドレスの表記にコンマを用いているが、これは、説明の都合上、区切りがわかり易くするためであり、実際には、コンマは不要である。
【０１６４】
そして、比較部５３による比較の結果、対象となるゾーンの記録インターバルＩｎｔｅｒｖａｌと記録ページデータ間隔Ｗ＿Ｉｎｔとが等しい場合、ＮＷＡは最終記録位置ＬＲＡのページ番号のみ１だけ増加させれば良く、（トラック番号，ページ番号）＝（Ａ，Ｂ＋１）となる。
【０１６５】
ただし、Ｂ＋１がページ番号の最大値である１２０００を超える場合、ＮＷＡは次のトラックの先頭としなければならないので、対象となるゾーンの最終記録位置ＬＲＡは、（トラック番号，ページ番号）＝（Ａ＋１，１）となる。
【０１６６】
また、比較部５３による比較の結果、対象となるゾーンの記録インターバルＩｎｔｅｒｖａｌと記録ページデータ間隔Ｗ＿Ｉｎｔがと等しくない場合、情報の記録は、最終記録位置ＬＲＡの次のトラックから行われることになる。このため、最終記録位置ＬＲＡのトラック番号に１を加え、ページ番号はトラックの先頭である１となる、よって、ＮＷＡは、（トラック番号，ページ番号）＝（Ａ＋１，１）となる。以上述べた計算方法により、ＮＷＡを全てのゾーンについて計算すれば良い。
【０１６７】
以上のようにして、比較部５３による比較結果を参照して、ＮＷＡ算出部５５が外部の装置に提供するＮＷＡを算出することができる。
【０１６８】
次に、ステップＳ１４において「ＹＥＳ」の場合、あるいは、ステップＳ１５によって新たにゾーンが追加されると、記録パラメータ設定部５６が、記録媒体１にページデータを記録する前に、インターバル生成回路８に対して記録ページデータ間隔Ｗ＿Ｉｎｔおよび記録するページ数を設定する（Ｓ１６）。
【０１６９】
このように、記録ページデータ間隔Ｗ＿Ｉｎｔおよび記録するページ数が設定されると、インターバル生成回路８は、アドレス検出回路７から入力されたタイミング信号と、クロック生成回路１０から入力されたクロック信号とに基づき、記録媒体１への情報の記録のタイミング信号である、記録レーザパルス信号ＷＲを生成する。そして、インターバル生成回路８は、この信号を、記録回路３に送信する。
【０１７０】
そして、記録回路３は、インターバル生成回路８から入力された記録レーザパルス信号に応じて、ピックアップ部２を制御して、外部装置から受け付けた情報（ページデータ）を、記録媒体１に記録する（Ｓ１７）。
【０１７１】
すなわち、ページデータを記録媒体１に記録する際、コントローラ１１は、インターバル生成回路８に対して、記録レーザパルス信号ＷＲを出力するように指示を与える。インターバル生成回路８は、コントローラ１１からの指示に応じて、所定のページ数に相当する記録レーザパルス信号ＷＲを記録回路３に出力する。この時、記録レーザパルス信号ＷＲと同期して、インタフェース回路６から記録ページデータが送られる。記録回路３は、インタフェース回路６を通じて所定のページ数のページデータを受信すると、該ページデータを記録媒体１のユーザデータ領域に記録し、記録を終了する。
【０１７２】
以上のように本実施の形態に係る記録再生装置２０では、実現可能な最小の記録ページデータ間隔Ｗ＿Ｉｎｔを求め、その間隔で記録を行う構成である。このため、記録再生装置２０それぞれにおける記録可能な時間間隔、すなわちＳＬＭの更新速度に応じた効率的な、ページデータの記録を実現することができる。
【０１７３】
なお、本実の形態に係る記録再生装置２０は、上述したように、記録するページデータの時間間隔を得るために回転数情報６０を用いる構成であった。しかしながら、記録するページデータの時間間隔を得るために利用する情報はこの回転数情報６０に限定されるものではなく、回転数の代わりに、線速度等の回転数に類似する情報を用いる構成であっても良い。
【０１７４】
また、本実施の形態に係る記録再生装置２０では、記録ページデータ間隔Ｗ＿Ｉｎｔを求めるために、実現可能な最小の記録ページデータ間隔Ｗ＿Ｉｎｔ＿ｍｉｎを上記数式（１）を利用して求める構成であった。しかしながら、この数式（１）に示す演算を行わず、各回転数に対応するＷ＿Ｉｎｔを得るテーブルをＲＯＭ等の不揮発性メモリに予め記憶しておき、このテーブルを参照してＷ＿Ｉｎｔを取得する構成であっても良い。
【０１７５】
また、本実施例では、ステップＳ１４において、Ｗ＿Ｉｎｔ＝Ｉｎｔｅｒｖａｌでない場合、新しくゾーンを追加するものとしたがこれに限定されるものではない。Ｗ＿Ｉｎｔ＜Ｉｎｔｅｒｖａｌの場合、すなわち、対象となるゾーンで既に記録されているページ間隔よりも、短い間隔で記録できる場合、必ずしも新たにゾーンを追加する必要はない。例えば、Ｗ＿Ｉｎｔ＝９６、Ｉｎｔｅｒｖａｌ＝１００の場合、記録再生装置２０は１００ページ間隔でも記録可能なので、新たにゾーンを追加せずに１００ページ間隔で記録するようにしても良い。
【０１７６】
この場合、新たにゾーンを追加しないので、ゾーン数が減らせるという利点はあるが、記録ページデータ間隔が９６から１００に大きくなるということは、ページデータの記録に余分な時間がかかることを意味している。例えば、記録ページデータ間隔９６で記録する場合、１トラック分の１２０００ページを記録するには、９６回転必要である。一方、記録ページデータ間隔１００の場合１００回転必要となる。そこでゾーン数の減少あるいは、記録の高速化のどちらを重要視するかに応じて、ゾーンを追加するのか否かを適宜選択できる構成としても良い。
【０１７７】
（記録時におけるタイミング信号）
次に、上記した情報の記録媒体１への記録時における、タイミング信号について図１４（ａ）、図１４（ｂ）を参照して説明する。なお、図１４は、記録媒体への記録時における、タイミング信号の一例を示す図であり、同図（ａ）は、記録ページデータ間隔Ｗ＿Ｉｎｔ＝１００の場合のタイミング信号を示し、同図（ｂ）は、記録ページデータ間隔Ｗ＿Ｉｎｔ＝９６の場合のタイミング信号を示している。
【０１７８】
図１４（ａ）において、トラック開始位置信号ＴＲは、トラックの先頭位置を示す信号であり、アドレス検出回路７がクラスタ番号１２０を検出した後、次のクラスタの先頭で出力される。
【０１７９】
次に、クラスタ信号ＣＬは、アドレス検出回路７がアドレス信号中に含まれるクラスタマークを検出する毎に出力される信号である。クラスタマークは、識別が容易となるように、アドレス信号中の他の信号とは異なる信号パターンで構成された特殊なパターンとなっている。
【０１８０】
クロック信号ＣＫは、ページデータのページ位置を示す信号であり、クラスタ信号ＣＬに基づき、クロック生成回路１０に含まれるＰＬＬ回路等により生成される。すなわち、本実施例においては、１クラスタは、１００ページから成っているので、１クラスタ周期を１００分割するようにクロック信号ＣＫを生成する。
【０１８１】
記録レーザパルス信号ＷＲは、記録のためのレーザパルスを発光させるタイミング信号であり、インターバル生成回路８で生成される。記録レーザパルス信号ＷＲの間隔が記録ページデータ間隔となるので、所定の時間間隔となるように、コントローラがインターバル生成回路８のパラメータを設定する。
【０１８２】
図１４（ａ）、図１４（ｂ）では、記録レーザパルス信号ＷＲの１周期分しか示していないが、所定のページ数が記録されるまで、これ以降も同じ間隔で記録レーザパルス信号ＷＲが出力される。
【０１８３】
図１４（ａ）では、記録ページデータ間隔Ｗ＿Ｉｎｔ＝１００の場合であり、ページ番号１で、記録レーザパルス信号ＷＲが出力された後、次に、ページ番号１０１で、記録レーザパルス信号ＷＲが出力される。以降、２０１，３０１，・・・，１１９０１と続いていく。１１９０１まで１周分の記録が終わった後は、１クロック分、すなわち、１ページ分だけ位置を後ろへずらして、ページ番号２から記録を継続していく。その後は、また、１００ページの間隔を置いて記録レーザパルス信号ＷＲが出力されていく。
【０１８４】
一方図１４（ｂ）では、記録ページデータ間隔Ｗ＿Ｉｎｔ＝９６の場合であり、ページ番号１で、記録レーザパルス信号ＷＲが出力された後、次に、ページ番号９７で、記録レーザパルス信号ＷＲが出力される。以降、１９３，２８９，・・・，１２０００と続いていく。１２０００まで１周分の記録が終わった後は、１クロック分、すなわち、１ページ分だけ位置を後ろへずらして、ページ番号２から記録を継続していく。その後は、また、９６ページの間隔を置いて記録レーザパルス信号ＷＲが出力されていく。
【０１８５】
このようにして記録した後の、１トラック分のページデータ配置を、図１５（ａ）、図１５（ｂ）に示す。なお、この図１５は、本実施の形態に係る記録媒体１における、１トラック分のページデータの配置の一例を示す図であり、同図（ａ）は、記録インターバルＩｎｔｅｒｖａｌ＝１００の場合のページデータの配置を示し、同図（ｂ）は、記録インターバルＩｎｔｅｒｖａｌ＝９６の場合のページデータの配置を示す。
【０１８６】
ここで、図１５（ａ）では、上下２つの数字列が並んでいる。上側の数字列は物理アドレスのページ番号であり、トラック上の物理的な位置に沿って、順番に１から１２０００までの数字が割り当てられている。下側の数字列は、記録された順番に割り当てられた番号であり、論理アドレスと呼ぶ。再生時においては、記録された順番にページデータを再生しなければ、意味のあるデータが得られないため、論理アドレスの順番で読み出す必要がある。
【０１８７】
ところが、図１５（ａ）と図１５（ｂ）とを比較すれば容易にわかるように、記録インターバルＩｎｔｅｒｖａｌが異なると、物理アドレスと論理アドレスの関係が異なることとなる。
【０１８８】
本実施の形態に係る記録再生装置２０では、記録媒体１に、記録インターバルＩｎｔｅｒｖａｌを記録する構成であるため、異なる記録インターバルＩｎｔｅｒｖａｌで記録されても、その記録インターバルＩｎｔｅｒｖａｌに応じて、常に正しい論理アドレスを求めることができる。
【０１８９】
以上、ページデータの記録媒体１への記録処理について説明した。以下においては、記録媒体１に記録されたページデータの再生処理について図１６および図１７を参照して説明する。なお、図１６は、本発明の実施の形態を示すものであり、再生処理に係るコントローラ１１の要部構成を示すブロック図である。また、図１７は、本発明の実施形態を示すものであり、記録再生装置における再生処理の一例を示すフローチャートである。
【０１９０】
（再生処理）
まず、本実施の形態に係る記録再生装置２０による、記録媒体１に記録された情報（ページデータ）の再生処理について説明する。まず、図１６を参照して再生処理に係るコントローラ１１の構成を説明する。再生処理に係るコントローラ１１は、機能ブロックとして、情報取得部５１、再生ページデータ間隔算出部（読み出し情報算出手段）７０、および再生パラメータ設定部（読み出し情報判定手段）７１を備える。
【０１９１】
また、コントローラ１１は、ＲＡＭなどの半導体記憶装置としてコントローラ記憶装置５７を備えており、コントローラ記憶装置５７には、記憶再生装置において記録可能な時間間隔に関する情報である時間間隔情報６１と、情報取得部５１によって取得された回転情報を含むディスク情報３５およびゾーン情報３６とが記憶される。
【０１９２】
なお、再生ページデータ間隔算出部７０および再生パラメータ設定部７１以外の部材は、既に図１０にて説明しているためここでは説明を省略する。
【０１９３】
再生ページデータ間隔算出部７０は、回転数情報６０および時間間隔情報６１に基づき、再生ページデータ間隔（読み出し可能間隔）Ｒ＿Ｉｎｔを求めるものである。この再生ページデータ間隔Ｒ＿Ｉｎｔとは、各記録再生装置２０において再生可能な、ページデータのページ間隔である。なお、この再生ページデータ間隔Ｒ＿Ｉｎｔの算出方法については後述する。
【０１９４】
再生ページデータ間隔算出部７０は、再生ページデータ間隔Ｒ＿Ｉｎｔを算出すると、再生パラメータ設定部７１に対して、インターバル生成回路８およびメモリアドレス生成回路９それぞれのパラメータを設定するように指示する。
【０１９５】
再生パラメータ設定部７１は、再生ページデータ間隔算出部７０からの指示に応じて、
インターバル生成回路８およびメモリアドレス生成回路９それぞれにパラメータを設定するものである。より具体的には、再生パラメータ設定部７１は、インターバル生成回路８に対して、適切な再生ページデータ間隔Ｒ＿Ｉｎｔ、および再生指示されたページデータのページ数を設定する。また、再生パラメータ設定部７１は、メモリアドレス生成回路９に対して、情報取得部５１により取得された再生対象ゾーンの記録インターバルＩｎｔｅｒｖａｌ、および上記再生ページデータ間隔Ｒ＿Ｉｎｔを設定する。
【０１９６】
このようにしてインターバル生成回路８およびメモリアドレス生成回路９それぞれに対してパラメータを設定すると、再生パラメータ設定部７１は、インターバル生成回路８に対して記録媒体１に記録されたページデータの読み出し（再生）を指示する。
【０１９７】
以下において、図１７を参照して本実施の形態に係る記録再生装置２０による、記録媒体１に記録された情報の再生処理に関する処理フローについて説明する。
【０１９８】
まず、外部の装置等から情報の再生指示が入力されると、記録再生装置２０では、ピックアップ部２が記録媒体１のディスク管理情報領域３２に格納された、回転数情報６０を含むディスク情報３５を読み出す。そして、再生回路４が、ピックアップ部２により読み出されたディスク情報３５を取得する（Ｓ２１）。
【０１９９】
なお、記録再生装置２０による上記ディスク情報３５の読取り動作は、記録媒体１を、該記録再生装置２０で使い始める起動時に一回だけ実行されるように設定されている。そして、記録再生装置２０では、再生回路４がこの読取った情報をコントローラ１１に送信すると、該コントローラ１１における情報取得部５１がディスク情報３５を取得し、コントローラ記憶装置５７に記憶する。
【０２００】
このように、回転数情報６０が取得されると、該回転数情報６０に基づきコントローラ１１では、再生ページデータ間隔算出部７０が、再生ページデータ間隔Ｒ＿Ｉｎｔを求める（Ｓ２２）。
【０２０１】
具体的には再生ページデータ間隔算出部７０は、この再生ページデータ間隔Ｒ＿Ｉｎｔを以下のようにして求める。まず、１トラックに対して再生ページデータ間隔Ｒ＿Ｉｎｔでページデータを再生するため、再生ページデータ間隔Ｒ＿Ｉｎｔは、１トラック分の全ページ数１２０００を割り切れる数、すなわち、１２０００の約数でなければならない。１２０００の約数としては、例えば、８０、９６、１００、１２０などが挙げられる。
【０２０２】
この再生ページデータ間隔Ｒ＿Ｉｎｔを求めるには、まず、記録再生装置２０において、ページデータを再生可能とする、最小の再生ページデータ間隔Ｒ＿Ｉｎｔ＿ｍｉｎを求める。例えば、回転数が１００ｒｐｍ、本実施例における記録再生装置２０で再生可能な時間間隔が５ｍｓであるとすると、最小の再生ページデータ間隔Ｒ＿Ｉｎｔ＿ｍｉｎは数式（２）に示すようにして求めることができる。
【０２０３】
R_Int_min＝１２０００／（６０／１００rpm×１／５ms）＝１００・・・（２）
このように回転数が１００ｒｐｍ、再生可能な時間間隔が５ｍｓである場合、数式（２）に示すように、本実施の形態に係る記録再生装置２０では、ページデータを１００ページ間隔で再生可能であることがわかる。ここで、前述のように再生ページデータ間隔Ｒ＿Ｉｎｔは１２０００の約数でなければならない。上記数式（２）による算結果は、１２０００の約数である１００であるため、この１００を再生ページデータ間隔Ｒ＿Ｉｎｔとして用いることができる。
【０２０４】
ここでもし、数式（２）の結果、再生ページデータ間隔Ｒ＿Ｉｎｔ＿ｍｉｎが、１２０００の約数でない場合は、最小の再生ページデータ間隔Ｒ＿Ｉｎｔ＿ｍｉｎ以上でかつ、この再生ページデータ間隔Ｒ＿Ｉｎｔ＿ｍｉｎに最も近い１２０００の約数を再生ページデータ間隔Ｒ＿Ｉｎｔとして用いれば良い。
【０２０５】
次に、本実施の形態に係る記録再生装置２０では、情報取得部５１が、記録先として指定されている論理アドレスから物理アドレスを求める。そして、再生回路４に指示してその物理アドレスが存在するゾーンのゾーン情報３６からゾーン情報エントリを検索させる。再生回路４は、ゾーン情報エントリを検索すると、ゾーン情報エントリに記録されている、記録インターバルＩｎｔｅｒｖａｌを取得する（Ｓ２３）。
【０２０６】
なお、本実施の形態に係る記録再生装置２０では、上記したディスク情報３５の読取り時に、この記録インターバルＩｎｔｅｒｖａｌを含むゾーン情報３６も、ピックアップ部２を制御して再生回路４が読取るように構成されている。コントローラ１１では、情報取得部５１が、この受信したゾーン情報３６もディスク情報３５と同様にコントローラ記憶装置５７に記憶させる。そして、このようにゾーン情報３６をコントローラ記憶装置５７に記憶させると、それ以降の該ゾーン情報３６に対する処理は、この記憶されたゾーン情報に対して行われる。
【０２０７】
このようにして、記録インターバルＩｎｔｅｒｖａｌを取得するとともに、再生ページデータ間隔Ｒ＿Ｉｎｔが算出されると、再生パラメータ設定部７１は、インターバル生成回路８に、ステップＳ２２で求めた再生ページデータ間隔Ｒ＿Ｉｎｔ、および再生指示されたページデータのページ数を設定する。さらに、再生パラメータ設定部７１は、メモリアドレス生成回路９に対して、ステップＳ２３で取得した再生対象ゾーンの記録インターバルＩｎｔｅｒｖａｌ、および上記再生ページデータ間隔Ｒ＿Ｉｎｔを設定する（Ｓ２４）。
【０２０８】
このようにしてインターバル生成回路８およびメモリアドレス生成回路９それぞれに対してパラメータを設定すると、コントローラ１１は、記録媒体１に記録されたページデータの読み出し（再生）を指示する（Ｓ２５）。すなわち、コントローラ１１における再生パラメータ設定部７１が、インターバル生成回路８に対して、再生レーザパルス信号ＲＤを出力するように指示を与える。この指示に応じて、インターバル生成回路８は、所定のページ数に相当する再生レーザパルス信号ＲＤを再生回路４に出力した後、記録媒体１からの再生を終了する。
【０２０９】
一方、記録媒体１から読み出されたページデータは、一旦バッファ回路５に内蔵されたメモリに記憶される。この時、メモリ内の記憶位置であるメモリアドレスは、メモリアドレス生成回路９から与えられる。
【０２１０】
このようにして、一旦バッファ回路５に記憶されたページデータは、インタフェース回路６を通して記録再生装置２０の外部に出力される（Ｓ２６）。
【０２１１】
以上のようにして、記録媒体１に記録されたページデータに対する再生処理が実行される。
【０２１２】
また、ステップＳ２５における再生指示時のタイミング信号を図１８（ａ）および図１８（ｂ）に示す。すなわち、図１８は、記録媒体１からの情報の読み出し時（再生処理時）における、タイミング信号の一例を示す図であり、同図（ａ）は、記録ページデータ間隔＝１００の場合のタイミング信号を示し、同図（ｂ）は、記録ページデータ間隔＝９６の場合のタイミング信号を示す。
【０２１３】
なお、再生処理の場合、再生指示時のタイミング信号は、記録処理時における記録レーザパルス信号ＷＲが再生レーザパルス信号ＲＤとなる点を除いては、記録処理時と同様なため図１８に示すタイミング信号の説明は省略する。
【０２１４】
また、本実施の形態に係る記録再生装置２０では、再生ページデータ間隔Ｒ＿Ｉｎｔを求めるために、まず、実現可能な最小の再生ページデータ間隔Ｒ＿Ｉｎｔ＿ｍｉｎを上記数式（２）を利用して求める構成であった。しかしながら、この数式（２）に示す演算を行わず、各回転数に対応するＲ＿Ｉｎｔを得るテーブルをＲＯＭ等の不揮発性メモリに予め記憶しておき、このテーブルを参照してＲ＿Ｉｎｔを取得する構成であっても良い。
【０２１５】
（メモリアドレス生成）
次に、メモリアドレス生成回路９から与えられるメモリアドレス生成について説明する。図１５（ａ）および図１５（ｂ）に示すように、記録インターバルＩｎｔｅｒｖａｌが異なると、物理アドレスと論理アドレスの関係が異なることとなる。ページデータの記録処理時と異なり、ページデータの再生処理時には、記録インターバルＩｎｔｅｒｖａｌが異なる全てのゾーンに関して、ページデータを再生できなければならない。
【０２１６】
ここで、記録インターバルＩｎｔｅｒｖａｌと再生ページデータ間隔Ｒ＿Ｉｎｔの組合せとして、３つの場合が考えられる。すなわち、（１）記録インターバルＩｎｔｅｒｖａｌ＝再生ページデータ間隔Ｒ＿Ｉｎｔ、（２）記録インターバルＩｎｔｅｒｖａｌ＞再生ページデータ間隔Ｒ＿Ｉｎｔ、（３）記録インターバルＩｎｔｅｒｖａｌ＜再生ページデータ間隔Ｒ＿Ｉｎｔの３つである。
【０２１７】
これら３つの場合の、読み出される順序と論理アドレスとの関係を図１９（ａ）、図１９（ｂ）、図１９（ｃ）それぞれに示す。図１９は、ページデータが読み出される順序と、該ページデータの論理アドレスとの関係の一例を示す図であり、同図（ａ）は、記録インターバル＝再生ページデータ間隔の場合における、ページデータの読み出し順と論理アドレスとの関係を示し、同図（ｂ）は、記録インターバル＞再生ページデータ間隔の場合における、ページデータの読み出し順と論理アドレスとの関係を示し、同図（ｃ）は、記録インターバル＜再生ページデータ間隔の場合におけるページデータの読み出し順と論理アドレスとの関係を示す。
【０２１８】
すなわち、図１９（ａ）は前述の（１）の場合に相当し、記録インターバルＩｎｔｅｒｖａｌと再生ページデータ間隔が等しいので、論理アドレスの順序でページデータが再生される。つまり、１番目に読み出されるのは、論理アドレス１のページデータであり、２番目に読み出されるのは、論理アドレス２のページデータである。同一のトラック内では、トラック番号は同一なので、論理アドレスのトラック番号部分は省略している。
【０２１９】
このように、（１）の場合、ページデータは読み出された順序の通り、バッファ回路５のメモリに記憶し、そのままの順序で読み出せば良い。
【０２２０】
つぎに、上記（２）の場合の一例を図１９（ｂ）に示す。ここでは、Ｉｎｔｅｒｖａｌ＝１００、Ｒ＿Ｉｎｔ＝９６の例を示している。この場合、１番目に読み出されるのは、論理アドレス１のページデータであるが、２番目に読み出されるのは、論理アドレス１１５２１のページデータであり、ｉ番目に読み出されるのは、論理アドレス＝ｆ（ｆ（ｉ，９６，１２５），１００，１２０）のページデータである。ここで、関数ｆは下記数式（３）として示すことができる。
【０２２１】
ｆ（i，a，ｂ）＝ｂ×MOD（i−１，a）＋INT｛(i−１)／a｝＋１・・・（３）
上記数式（３）において、ＭＯＤ（Ｘ，Ｙ）は、ＸをＹで割った余りを求める関数であり、ＩＮＴ（ｘ）は、ｘの小数点以下を切り捨てる関数である。また、１２５はＲ＿Ｉｎｔ＝９６で読み出す場合に、１回転中に読み出し可能なページ数であり、１２０００／９６＝１２５として求められる。同様に１２０は、Ｉｎｔｅｒｖａｌ＝１００で記録する場合に、１回転中に記録可能なページ数であり、１２０００／１００＝１２０として求められる。これらの関数ｆの各パラメータは、コントローラ１１から与えられる。
【０２２２】
メモリアドレス生成回路９では、ページデータが読み出される毎に数式（３）により算出される論理アドレスをメモリアドレスとして生成する。よって、例えばｉ番目に読み出されたページデータは、そのページデータの論理アドレスに対応したメモリアドレスに記憶されることになる。これを読み出される全てのページデータについて実行すると、全ページデータは、各ページデータの記録順に応じた論理アドレスの順にメモリ上に配置されることになる。この時のデータの流れを図２０に示す。
【０２２３】
なお、この図２０は、記録媒体１から読み出されたページデータの読み出し順および該ページデータの論理アドレスと、バッファ回路５のメモリ上に記憶させるページデータおよび該ページデータを格納した領域のメモリアドレスとの対応関係を示す図である。
【０２２４】
例えば、記録媒体１から読み出された各ページデータを、読み出し順にＤ１、Ｄ２、・・・Ｄ１２０００とする。最初に読み出されたＤ１の論理アドレスは１なので、ページデータはバッファ回路５のメモリにおけるメモリアドレス１に記憶される。次に、読み出されるＤ２の論理アドレスは１１５２１なので、バッファ回路５のメモリにおけるメモリアドレス１１５２１に記憶される。以下、記録媒体１から読み出される全てのページデータについて、同様の処理を行えば、その結果、図２０に示すようにメモリ内容（記憶されたページデータ）は、論理アドレス順に整列することとなる。
【０２２５】
このようにして、論理アドレスの順となるようにメモリの記録領域にページデータがそれぞれ配置されるので、バッファ回路５では、メモリアドレス順にデータを読み出し、インタフェース回路６にそれらのデータを送れば良い。
【０２２６】
つぎに、上記（３）の場合の一例を図１９（ｃ）に示す。ここでは、Ｉｎｔｅｒｖａｌ＝９６、Ｒ＿Ｉｎｔ＝１００の例を示している。この場合、１番目に読み出されるのは、論理アドレス１のページデータであるが、２番目に読み出されるのは、論理アドレス５０２のページデータである。更にｉ番目に読み出されるのは、論理アドレス＝ｆ（ｆ（ｉ，１００，１２０），９６，１２５）のページデータである。
【０２２７】
この場合、関数ｆに与えるパラメータは異なるが、処理の内容は、上記した（２）の場合と同様となる。すなわち上記数式（３）により算出されるアドレスをメモリアドレスとして生成することによって、この場合も全ページデータが、論理アドレスの順にメモリ上に配置されることとなる。
【０２２８】
なお、記録インターバルＩｎｔｅｒｖａｌと再生ページデータ間隔Ｒ＿Ｉｎｔとの組合せが、上記（１）〜（３）のいずれとなるかについての判定は、再生パラメータ設定部７１によって行われる。そして、上記したステップＳ２４の処理において、再生パラメータ設定部７１が、判定した結果とともに、再生対象ゾーンの記録インターバルＩｎｔｅｒｖａｌ、および上記再生ページデータ間隔Ｒ＿Ｉｎｔをメモリアレス生成回路９に出力して設定する。
【０２２９】
以上のように本実施の形態に係る記録再生装置２０では、情報取得部５１により取得した記録インターバルＩｎｔｅｒｖａｌから記録媒体１に記録されている２次元データの記録間隔を把握することができる。また、再生パラメータ設定部７１による、記録インターバルＩｎｔｅｒｖａｌと再生ページデータ間隔Ｒ＿Ｉｎｔとの組合せに対する判定結果に応じて、メモリアドレス生成回路９が、上記記録インターバルＩｎｔｅｒｖａｌを利用して、所定の間隔で読み出したページデータの順序を、該ページデータの記録順に変換させることができる。
【０２３０】
つまり、記録再生装置２０は、読み出されたページデータを、各ゾーンごとにバッファ回路５に含まれるメモリにおいて論理アドレス順となるように配置することができる。そしてその後、記録再生装置２０は、論理アドレスに対応するメモリアドレス順にページデータをバッファ回路５から読み出し出力することができる構成である。
【０２３１】
このため、本実施の形態に係る記録再生装置２０では、再生ページデータ間隔Ｒ＿Ｉｎｔが記録インターバルＩｎｔｅｒｖａｌと異なる場合であっても、読み出したページデータを該ページデータの記録順とすることができる。したがって、記録間隔と再生間隔とが異なる場合であっても適切にページデータの再生を行なうことができる。
【０２３２】
なお、本実施の形態に係る記録再生装置２０では、読み出したページデータをバッファ回路５に含まれるメモリに記憶する時点で、論理アドレス順となるように、メモリアドレス生成回路９で適切なメモリアドレスを生成する構成であった。しかしながら、この構成に限定されるものではなく、一旦、読み出された順序のままメモリへ記憶し、メモリから読み出す時点で、論理アドレス順にメモリから読み出されるように、適切な読み出しメモリアドレスを生成する構成であっても良い。
【０２３３】
また、本実施の形態に係る記録再生装置２０では、記録媒体１を複数のゾーンに分けページデータの「記録処理」および「再生処理」を実行する構成であった。しかしながら、この構成に限定されるものではなく、記録媒体１全体を１つのゾーンと設定する構成であってもよい。このような構成の場合、一旦、ある記録インターバルＩｎｔｅｒｖａｌで記録されると、その記録インターバルＩｎｔｅｒｖａｌ以外では、記録できなくなるというデメリットがあるが、記録インターバルＩｎｔｅｒｖａｌが得られれば、正しい論理アドレス順でデータを再生可能なので、再生時における効果は変わらないこととなる。また、このように、設定するゾーンを１つに限定する場合、ゾーン情報エントリリストは不要となる。
【０２３４】
更にまた、本実施の形態に係る記録再生装置２０が、規格書等で、バージョン毎に記録インターバルＩｎｔｅｒｖａｌを規定する構成の場合、バージョン番号から間接的に記録インターバルＩｎｔｅｒｖａｌを得るようにしても良い。
【０２３５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２３６】
最後に、記録再生装置２０の各ブロック、特にコントローラ１１が備える各機能ブロック（情報取得部５１、記録ページデータ間隔算出部５２、比較部５３、ゾーン追加部５４、ＮＷＡ算出部５５、記録パラメータ設定部５６、再生ページデータ間隔算出部７０、再生パラメータ設定部７１）、およびメモリアドレス生成回路９は、ハードウェアロジックによって構成してもよいし、次のようにＣＰＵを用いてソフトウェアによって実現してもよい。
【０２３７】
すなわち、記録再生装置２０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである記録再生装置２０の制御プログラムのプログラムコード（実行形式プログラム、中間コードプログラム、ソースプログラム）をコンピュータで読み取り可能に記録した記録媒体を、上記記録再生装置２０に供給し、そのコンピュータ（またはＣＰＵやＭＰＵ）が記録媒体に記録されているプログラムコードを読み出し実行することによっても、達成可能である。
【０２３８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２３９】
また、記録再生装置２０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２４０】
本発明に係る記録装置は、記録媒体から、２次元データを記録する間隔に関する情報である間隔情報を取得し、該間隔情報に基づき、２次元データを記録させる間隔を設定することができる。したがって、２次元データを記録する記録媒体に対して幅広く適用できる。
【図面の簡単な説明】
【０２４１】
【図１】本発明の実施形態を示すものであり、記録再生装置の要部構成を示す図である。
【図２】本発明の実施形態を示すものであり、記録媒体の外観形状の一例を示す図である。
【図３】本発明の実施形態を示すものであり、記録媒体の断面構造の一例を示す図である。
【図４】本発明の実施形態を示すものであり、記録媒体を上方から見た場合の平面図である。
【図５】本実施の形態に係るサーボ層に記録されているアドレス情報と、記録再生層に記録されるページデータとの関係を示す図であり、同図（ａ）はアドレス情報の構成を示し、同図（ｂ）は、記録再生層に記録されるページデータの構成を示している。
【図６】本実施の形態に係る記録媒体における各種情報の配置の一例を示す図である。
【図７】本実施の形態に係るゾーン情報のデータ構造の一例を示す図である。
【図８】本実施の形態に係るゾーン情報に含まれるゾーン情報ヘッダのデータ構造の一例を示す図である。
【図９】本実施の形態に係るゾーン情報エントリのデータ構造の一例を示す図である。
【図１０】本発明の実施の形態を示す図であり、記録処理に係るコントローラの要部構成を示すブロック図である。
【図１１】本実施の形態に係る記録再生装置による記録処理の一例を示すフローチャートである。
【図１２】本実施の形態に係る記録媒体のゾーンにおける記録領域の状態の一例を示す図であり、同図（ａ）は、ゾーンの追加処理が行われる前のゾーンの状態の一例を示し、同図（ｂ）は、ゾーンの追加処理後におけるゾーンの状態の一例を示す。
【図１３】本発明の実施の形態を示す図であり、ゾーン追加前のゾーン情報エントリリストと、ゾーン追加後のゾーン情報エントリリストとの対応関係の一例を示す図である。
【図１４】記録媒体への記録時における、タイミング信号の一例を示す図であり、同図（ａ）は、記録ページデータ間隔＝１００の場合のタイミング信号を示し、同図（ｂ）は、記録ページデータ間隔＝９６の場合のタイミング信号を示す。
【図１５】本実施の形態に係る記録媒体における、１トラック分のページデータの配置の一例を示す図であり、同図（ａ）は、記録インターバル＝１００の場合のページデータの配置を示し、同図（ｂ）は、記録インターバル＝９６の場合のページデータの配置を示す。
【図１６】本発明の実施の形態を示すものであり、再生処理に係るコントローラの要部構成を示すブロック図である。
【図１７】本発明の実施形態を示すものであり、記録再生装置における再生処理の一例を示すフローチャートである。
【図１８】記録媒体からの情報の読み出し時（再生処理時）における、タイミング信号の一例を示す図であり、同図（ａ）は、記録ページデータ間隔＝１００の場合のタイミング信号を示し、同図（ｂ）は、記録ページデータ間隔＝９６の場合のタイミング信号を示す。
【図１９】ページデータが読み出される順序と、該ページデータの論理アドレスとの関係の一例を示す図であり、同図（ａ）は、記録インターバル＝再生ページデータ間隔の場合における、ページデータの読み出し順と論理アドレスとの関係を示し、同図（ｂ）は、記録インターバル＞再生ページデータ間隔の場合における、ページデータの読み出し順と論理アドレスとの関係を示し、同図（ｃ）は、記録インターバル＜再生ページデータ間隔の場合におけるページデータの読み出し順と論理アドレスとの関係を示す。
【図２０】記録媒体から読み出されたページデータの読み出し順および該ページデータの論理アドレスと、バッファ回路のメモリ上に記憶するページデータおよび該ページデータを格納した領域のメモリアドレスとの対応関係を示す図である。
【図２１】従来技術を示すものであり、情報記録媒体を示す図である。
【符号の説明】
【０２４２】
１      記録媒体
９      メモリアドレス生成回路（変換手段）
２０    記録再生装置（記録装置・再生装置）
３２ａ・３２ｂ  ディスク管理情報領域（管理領域）
３４    ユーザデータ領域（記録領域）
５１    情報取得部（取得手段）
５２    記録ページデータ間隔算出部（算出手段）
５３    比較部（記録設定手段）
５４    ゾーン追加部（新記録領域設定手段）
５５    ＮＷＡ算出部（位置情報算出手段）
５６    記録パラメータ設定部（記録設定手段）
６０    回転数情報（記録速度情報・読み出し速度情報）
６１    時間間隔情報（記録性能情報・読み出し性能情報）
７０    再生ページデータ間隔算出部（読み出し情報算出手段）
７１    再生パラメータ設定部（読み出し情報判定手段）
Ｉｎｔｅｒｖａｌ  記録インターバル（間隔情報）
Ｗ＿Ｉｎｔ  記録ページデータ間隔（可能間隔情報）
Ｒ＿Ｉｎｔ  再生ページデータ間隔（読み出し可能間隔情報）
【図１】
0004522969.tif 000002
【図２】
0004522969.tif 000003
【図３】
0004522969.tif 000004
【図４】
0004522969.tif 000005
【図５】
0004522969.tif 000006
【図６】
0004522969.tif 000007
【図７】
0004522969.tif 000008
【図８】
0004522969.tif 000009
【図９】
0004522969.tif 000010
【図１０】
0004522969.tif 000011
【図１１】
0004522969.tif 000012
【図１２】
0004522969.tif 000013
【図１３】
0004522969.tif 000014
【図１４】
0004522969.tif 000015
【図１５】
0004522969.tif 000016
【図１６】
0004522969.tif 000017
【図１７】
0004522969.tif 000018
【図１８】
0004522969.tif 000019
【図１９】
0004522969.tif 000020
【図２０】
0004522969.tif 000021
【図２１】
0004522969.tif 000022